(57)【要約】  無線通信システム用の装置は、セミパーシステントスケジューリング（ＳＰＳ）を実行するように構成され、ＳＰＳ間隔のサイズは、１つまたは複数の送信時間間隔（ＴＴＩ）に基づく。無線通信システム用のさらなる装置が記載され、装置は、セミパーシステントスケジューリングを実行するように構成され、装置は、セミパーシステントスケジューリングが構成メッセージを介して制御されるように構成される。
2019531632.tif 000002
【特許請求の範囲】
【請求項１】
無線通信システム用の装置であって、
前記装置は、セミパーシステントスケジューリング（ＳＰＳ）を実行するように構成され、
ＳＰＳ間隔のサイズは、１つまたは複数の送信時間間隔（ＴＴＩ）に基づく、装置。
【請求項２】
データ信号を使用してデータを受信または送信するように構成され、前記データ信号が、複数のフレームを含み、各フレームが、複数のサブフレームを含み、各サブフレームが、時間ドメインの多数のシンボルと、周波数ドメインの多数のサブキャリアとを有し、
前記送信時間間隔が、前記時間ドメインの所定の数のシンボルによって定義される、請求項１に記載の装置。
【請求項３】
前記送信時間間隔が、１サブフレーム未満である、請求項２に記載の装置。
【請求項４】
前記装置が、構成メッセージを受信して処理するように構成され、前記構成メッセージが、前記ＳＰＳ間隔の前記サイズを示す１つまたは複数のデータフィールドを含む、請求項１乃至３のいずれか１項に記載の装置。
【請求項５】
前記構成メッセージが、前記ＳＰＳ間隔の前記サイズを定義する送信時間間隔の数を示す値を使用して前記ＳＰＳ間隔の前記サイズを直接シグナリングする、請求項４に記載の装置。
【請求項６】
前記構成メッセージが、１つまたは複数のコードワードを使用して前記ＳＰＳ間隔の前記サイズを間接的にシグナリングし、各コードワードが、前記ＳＰＳ間隔のある特定のサイズを表し、
前記装置が、複数のエントリを記憶するように構成された記憶装置を含み、各エントリが、前記ＳＰＳ間隔の前記サイズを定義する多数の送信時間間隔を保持し、
前記装置が、前記コードワードを使用して前記記憶装置にアクセスし、前記記憶装置から前記ＳＰＳ間隔の前記サイズを取得するように構成される、請求項４に記載の装置。
【請求項７】
前記コードワードの長さが、前記ＳＰＳ間隔の符号化されたサイズの発生の頻度に依存する、請求項６に記載の装置。
【請求項８】
前記構成メッセージが、ＳＰＳ間隔の開始時にリスニングウィンドウを示し、前記リスニングウィンドウが、前記ＳＰＳ間隔の前記サイズよりも短い所定のサイズを有し、
前記装置が、前記リスニングウィンドウの間に前記装置に向けられた制御メッセージをリスニングするように構成される、請求項４乃至７のいずれか１項に記載の装置。
【請求項９】
前記装置が、
前記セミパーシステントスケジューリングの前記通信無線通信システムのリソースの割り当ての非アクティブ化を明示的に示す、
前記セミパーシステントスケジューリングの構成の変更を示す、かつ／または
現在のＳＰＳ間隔の前記セミパーシステントスケジューリングの前記無線通信システムのリソースのスペクトル時間位置を示す、
前記リスニングウィンドウの間の制御メッセージに応答して、前記リスニングウィンドウの終了前に前記制御メッセージのリスニングを停止するように構成され、
それにより前記現在のＳＰＳ間隔の前記セミパーシステントスケジューリングの前記リソースを受信した後にさらなる制御メッセージのリスニングを停止する、請求項８に記載の装置。
【請求項１０】
前記リスニングウィンドウが、ＳＰＳ間隔の前記開始前に１つまたは複数の送信時間間隔をスタートし、前記ＳＰＳ間隔の前記開始後に少なくとも１つの送信時間間隔を終了する、請求項８または９に記載の装置。
【請求項１１】
前記装置が、前記リスニングウィンドウ内の最後の送信時間間隔内にリソースブロックからの現在の間隔の前記セミパーシステントスケジューリングの前記リソースにアクセスするように構成され、以下の条件：
前記装置が、前記制御メッセージのリスニングをまだ停止していない、
前記装置が、前記リスニングウィンドウの前記最後の送信時間間隔に先行する送信時間間隔のリソースブロックから前記現在の間隔の前記セミパーシステントスケジューリングの前記リソースにまだアクセスしていない、
前記最後の送信時間間隔の制御チャネル内には、前記最後の送信時間間隔内の前記リソースブロックの位置を示す制御メッセージがない、
の１つまたは複数が満たされているかどうかに応じて、デフォルト位置とＴＴＩ内位置で一致する、請求項１０に記載の装置。
【請求項１２】
前記装置が、物理ダウンリンク制御チャネル内で前記制御メッセージをリスニングするように構成される、請求項８乃至１１のいずれか１項に記載の装置。
【請求項１３】
前記構成メッセージが、前記装置の動作を制御するための制御データを含み、
前記装置が、前記構成メッセージから前記制御データを取り出し、前記制御データに従って動作を引き起こすように構成される、請求項４乃至１２のいずれか１項に記載の装置。
【請求項１４】
前記制御データが、
前記セミパーシステントスケジューリングの持続時間をアクティブ化する、解放するまたは示す制御データ、
ＳＰＳ間隔当たりの前記セミパーシステントスケジューリングに割り当てられるリソースを示す制御データ、
前記セミパーシステントスケジューリングの送信パラメータを示す制御データ、
周波数ホッピング情報を示す制御データ、および
直接または遅延アップリンクメッセージをトリガする１つまたは複数のある特定のダウンリンクペイロードデータメッセージを示す制御データ
の１つまたは複数を含む、請求項１３に記載の装置。
【請求項１５】
前記周波数ホッピング情報が、ＯＦＤＭシンボルベースまたはスロット未満ベースを含む異なるベースのうちの時間ホッピングベースを示す、請求項１４に記載の装置。
【請求項１６】
前記構成メッセージが、前記セミパーシステントスケジューリングを介して、または非セミパーシステントな方法で割り当てられた前記無線通信システムのリソースのペイロードセクション内に含まれる、請求項４乃至１５のいずれか１項に記載の装置。
【請求項１７】
前記構成メッセージが、第１の構成メッセージであり、前記ＳＰＳ間隔の前記サイズが、
第２の構成メッセージによって変更されるまで、および／または
前記第１の構成メッセージによって定義された前記セミパーシステントスケジューリングの有効時間の終了に到達するまで、および／または
高次プロトコルからの制御メッセージによって変更されるまで
有効である、請求項４乃至１６のいずれか１項に記載の装置。
【請求項１８】
前記構成メッセージが、いくつかのＳＰＳ間隔またはＳＰＳ構成モードを示し、前記装置が、前記いくつかのＳＰＳ間隔またはＳＰＳ構成モードを切り替えるか、またはさらなる構成メッセージもしくは前記構成メッセージに続く制御メッセージに応答して前記構成メッセージに続いて、前記ＳＰＳ間隔またはＳＰＳ構成モードの１つまたは複数を選択的にアクティブ化および非アクティブ化するように構成される、請求項４乃至１７のいずれか１項に記載の装置。
【請求項１９】
前記装置、および前記装置が前記セミパーシステントスケジューリング（ＳＰＳ）のリソースを介してペイロードデータを受信または送信する前記無線通信システムのさらなる装置に対して検出可能な事象に応答して、前記セミパーシステントスケジューリングを非アクティブ化、アクティブ化、または再構成するように構成される、請求項１乃至１８のいずれか１項に記載の装置。
【請求項２０】
前記装置が、前記セミパーシステントスケジューリングによって割り当てられたリソース内でデータを送信する移動端末であり、前記装置が、ＮＡＣＫメッセージに応答して、送信障害のヒントおよび前記セミパーシステントスケジューリングの再構成に関する情報について前記ＮＡＣＫメッセージに続く制御メッセージを調べるように構成される、請求項１乃至１９のいずれか１項に記載の装置。
【請求項２１】
前記装置が、前記セミパーシステントスケジューリングが前記セミパーシステントスケジューリングを介して、または非セミパーシステントな方法で割り当てられた前記無線通信システムのリソースのペイロードセクション内に含まれる構成メッセージによって再構成されるように構成される、請求項２０に記載の装置。
【請求項２２】
前記装置が、前記セミパーシステントスケジューリングが任意のＮＡＣＫメッセージに応答して見出される制御メッセージに加えて、前記セミパーシステントスケジューリングを介して、または非セミパーシステントな方法で排他的に割り当てられた前記無線通信システムのリソースのペイロードセクション内に含まれる構成メッセージによって再構成可能であるように構成される、請求項２０に記載の装置。
【請求項２３】
前記装置が、構成メッセージを生成して送信するように構成され、前記構成メッセージが、前記ＳＰＳ間隔の前記サイズを示す１つまたは複数のデータフィールドを含み、
前記装置が、１つまたは複数のコードワードを使用して前記ＳＰＳ間隔の前記サイズを前記構成メッセージで間接的にシグナリングするように構成され、前記コードワードを
前記ＳＰＳ間隔の必要サイズ、
前記セミパーシステントスケジューリングが専用であり、ＳＰＳ間隔の前記必要サイズが前記１つまたは複数のコードワードによって示される移動端末が第１のタイプまたは第２のタイプであるかどうか
の１つまたは複数に応じて選択し、
前記１つまたは複数のコードワードを、前記移動端末が前記第２のタイプである場合、前記送信時間間隔の現在設定されている長さに応じて追加的に選択し、
前記必要サイズが、前記移動端末が前記第２のタイプの場合には送信時間間隔の単位で前記ＳＰＳ間隔を測定し、前記必要サイズが、前記移動端末が前記第１のタイプの場合にはサブフレームの単位で前記ＳＰＳ間隔を測定する、請求項２に記載の装置。
【請求項２４】
前記コードワードが、可変長コードワードである、請求項２３に記載の装置。
【請求項２５】
無線通信システム用の装置であって、
前記装置は、セミパーシステントスケジューリングを実行するように構成され、
前記装置は、前記セミパーシステントスケジューリングが構成メッセージを介して制御されるように構成される、装置。
【請求項２６】
前記構成メッセージが、
前記セミパーシステントスケジューリングの持続時間をアクティブ化する、解放するまたは示す制御データ、
前記セミパーシステントスケジューリングに割り当てられるリソースを示す制御データ、
前記セミパーシステントスケジューリングの送信パラメータを示す制御データ、
周波数ホッピング情報を示す制御データ、
直接または遅延アップリンクメッセージをトリガする１つまたは複数のある特定のダウンリンクペイロードデータメッセージを示す制御データ、
その中の１つまたは複数をさらなる構成メッセージまたは前記構成メッセージに続く制御メッセージによってアクティブ化または非アクティブ化することができるいくつかのＳＰＳ間隔またはＳＰＳ構成モードを示す制御データ、
前記ＳＰＳ間隔のサイズよりも短い所定のサイズを有し、リスニングウィンドウの間に制御メッセージをリスニングすることを可能にする、ＳＰＳ間隔の開始時の前記リスニングウィンドウを示す制御データ
の１つまたは複数を含む、請求項２５に記載の装置。
【請求項２７】
前記構成メッセージが、前記セミパーシステントスケジューリングを介して、または非セミパーシステントな方法で移動端末に割り当てられた前記無線通信システムのリソースのペイロードセクション内に含まれ、前記装置が、前記移動端末、または前記装置が前記セミパーシステントスケジューリングのリソースを介してペイロードデータを受信または送信する前記無線通信システムのさらなる装置である、請求項２６に記載の装置。
【請求項２８】
前記構成メッセージが、第１の構成メッセージであり、前記第１の構成メッセージで定義された前記ＳＰＳの構成が、
第２の構成メッセージによって変更されるまで、および／または
前記第１の構成メッセージによって定義された前記セミパーシステントスケジューリングの有効時間の終了に到達するまで、および／または
高次プロトコルからの制御メッセージによって変更されるまで
有効である、請求項２５乃至２７のいずれか１項に記載の装置。
【請求項２９】
前記構成メッセージが、いくつかのＳＰＳ間隔またはＳＰＳ構成モードを示し、前記装置が、前記いくつかのＳＰＳ間隔またはＳＰＳ構成モードを切り替えるか、またはさらなる構成メッセージもしくは前記構成メッセージに続く制御メッセージに応答して前記構成メッセージに続いて、前記ＳＰＳ間隔またはＳＰＳ構成モードの１つまたは複数を選択的にアクティブ化および非アクティブ化するように構成される、請求項２５乃至２８のいずれか１項に記載の装置。
【請求項３０】
前記装置、および前記装置が前記セミパーシステントスケジューリング（ＳＰＳ）のリソースを介してペイロードデータを受信または送信する前記無線通信システムのさらなる装置に対して検出可能な事象に応答して、前記セミパーシステントスケジューリングを非アクティブ化するように構成される、請求項２５乃至３９のいずれか１項に記載の装置。
【請求項３１】
前記さらなる構成メッセージまたは制御メッセージが、同じＲＮＴＩによってスクランブルされ、ＳＰＳ構成インデックスによって区別される、請求項１８または２６に記載の装置。
【請求項３２】
前記装置が、前記セミパーシステントスケジューリングを実行するように、基地局などの送信機から構成メッセージを受信して処理するように構成された、移動端末などの受信機であり、または前記装置が、前記装置のセミパーシステントスケジューリングと一致する方法でセミパーシステントスケジューリングを実行するように前記受信機を構成するための構成メッセージを移動端末などの受信機に送信するように構成された、基地局などの送信機である、請求項１乃至３１のいずれか１項に記載の装置。
【請求項３３】
前記装置が、割り当てられたリソースにペイロードデータをマッピングする前に前記ペイロードデータを保護するＦＥＣデータと共に前記ペイロードデータをスクランブルおよび／またはインターリーブすることによって送信時間間隔の単位で前記割り当てられたリソースを介して前記ペイロードデータを送信し、および／または割り当てられたリソースからペイロードデータをデマッピングする際に前記ペイロードデータを保護するＦＥＣデータ共に前記ペイロードデータをデスクランブルおよび／またはデインターリーブすることによって送信時間間隔の単位で前記割り当てられたリソースを介して前記ペイロードデータを受信するように構成される、請求項１乃至３２のいずれか１項に記載の装置。
【請求項３４】
無線通信システム用の装置であって、
前記装置は、ダウンリンクまたはアップリンク方向であるＳＰＳ方向の第１のペイロードデータ送信のリソースのセミパーシステントスケジューリング（ＳＰＳ）を実行するように構成され、
前記装置は、前記第１のペイロードデータ送信の前記リソースがスケジューリングされるＳＰＳ時間が前記ＳＰＳ方向に対向する反対方向の第２のペイロードデータ送信によってトリガされるように構成される、装置。
【請求項３５】
ダウンリンク構成メッセージの構成メッセージによって定義された方法で前記第２のペイロードデータ送信に対する前記ＳＰＳ時間をスケジューリングするように構成される、請求項３４に記載の装置。
【請求項３６】
前記構成メッセージが、
ＳＰＳ時間をトリガする第２のペイロードデータ送信とＳＰＳ時間をトリガしない第２のペイロードデータ送信との区別、および
前記第２のペイロードデータ送信とそれによってトリガされる前記ＳＰＳ時間との間の遅延
の観点から前記第２のペイロードデータ送信に対する前記ＳＰＳ時間の前記スケジューリングを定義する、請求項３５に記載の装置。
【請求項３７】
前記構成メッセージが、各ＳＰＳ時間のリスニングウィンドウを示し、
前記装置が、前記リスニングウィンドウの間に前記装置に向けられた制御メッセージをリスニングするように構成される、請求項３５または３６に記載の装置。
【請求項３８】
前記装置が、
前記セミパーシステントスケジューリングを介して前記第１のペイロードデータ送信の前記リソースの割り当ての非アクティブ化を明示的に示す、
前記セミパーシステントスケジューリングの構成の変更を示す、かつ／または
現在のＳＰＳ時間の前記セミパーシステントスケジューリングの前記無線通信システムのリソースのスペクトル時間位置を示す、
前記リスニングウィンドウの間の制御メッセージに応答して、前記リスニングウィンドウの終了前に前記制御メッセージのリスニングを停止するように構成され、
それにより前記現在のＳＰＳ時間の前記セミパーシステントスケジューリングの前記リソースを受信した後にさらなる制御メッセージのリスニングを停止する、請求項３７に記載の装置。
【請求項３９】
前記リスニングウィンドウが、ＳＰＳ時間の前記開始前に１つまたは複数の送信時間間隔をスタートし、前記ＳＰＳ時間の前記開始後に少なくとも１つの送信時間間隔を終了する、請求項３７または３８に記載の装置。
【請求項４０】
前記装置が、前記リスニングウィンドウ内の最後の送信時間間隔内にリソースブロックからの現在のＳＰＳ時間の前記セミパーシステントスケジューリングの前記リソースにアクセスするように構成され、以下の条件：
前記装置が、前記制御メッセージのリスニングをまだ停止していない、
前記装置が、前記リスニングウィンドウの前記最後の送信時間間隔に先行する送信時間間隔のリソースブロックから前記現在のＳＰＳ時間の前記セミパーシステントスケジューリングの前記リソースにまだアクセスしていない、
前記最後の送信時間間隔の制御チャネル内には、前記最後の送信時間間隔内の前記リソースブロックの位置を示す制御メッセージがない、
の１つまたは複数が満たされているかどうかに応じて、デフォルト位置とＴＴＩ内位置で一致する、請求項３９に記載の装置。
【請求項４１】
前記装置が、物理ダウンリンク制御チャネル内で前記制御メッセージをリスニングするように構成される、請求項３７乃至４０のいずれか１項に記載の装置。
【請求項４２】
前記構成メッセージが、ダウンリンク送信のリソースのペイロードセクション内に含まれる、請求項３５乃至４１のいずれか１項に記載の装置。
【請求項４３】
前記装置が、前記セミパーシステントスケジューリングを構成する、基地局などの送信機から構成メッセージを受信して処理するように構成された、移動端末などの受信機であり、または前記装置が、前記装置のセミパーシステントスケジューリングと一致する方法でセミパーシステントスケジューリングを構成するように前記受信機を構成するための構成メッセージを移動端末などの受信機に送信するように構成された、基地局などの送信機である、請求項３４乃至４２のいずれか１項に記載の装置。
【請求項４４】
無線通信システム用の装置であって、
前記装置は、セミパーシステントスケジューリング（ＳＰＳ）を実行するように構成され、
前記装置は、前記ＳＰＳの構成モードが変更されるように、またはＳＰＳが、
前記無線通信システムを介して送信されたペイロードデータを介して別のエンティティと通信する第１のエンティティ、または
前記装置の物理環境条件に依存する事象を示すメッセージ
によってトリガされて確立される、装置。
【請求項４５】
前記装置が、ＳＰＳリソースに使用される
ＳＰＳ間隔、
ＳＰＳビットレート、
符号化および変調
に関して前記ＳＰＳの構成モードを変更する、または前記ＳＰＳを確立するように構成される、請求項４４に記載の装置。
【請求項４６】
前記装置が、
ＴＣＰスロースタートについて前記装置に通知する前記第１のエンティティからのメッセージ、
ＴＣＰ輻輳回避について前記装置に通知する前記第１のエンティティからのメッセージ、
前記第１および第２のエンティティの間でビットレート適応的にストリーミングされたビットレートバージョンの変更について前記装置に通知する前記第１のエンティティからのメッセージ、
ＳＰＳ方向に沿った送信条件の改善または悪化に関するヒント、
前記ＳＰＳを使用して前記無線通信システムを介して送信されるビデオまたは画像データの解像度、品質または符号化の複雑さの変化、
目標パケットエラー率、
音声の一時停止／無音への移行
の１つまたは複数に応答して前記ＳＰＳの前記構成を変更するか、または前記ＳＰＳを確立するように構成される、請求項４４または４５に記載の装置。
【請求項４７】
前記装置が、例えば、基地局などの前記送信機に前記ＳＰＳのインストールを要求するＳＰＳ要求によって前記ＳＰＳの前記構成の前記変更または前記ＳＰＳの確立を開始し、任意選択で、対応するＳＰＳ構成メッセージを発行することによって前記ＳＰＳ構成の変更または確立を確認するように構成された、移動端末またはＵＥなどの受信機であり、または前記装置が、移動端末などの受信機に、ＳＰＳの構成の変更または確立のための対応するＳＰＳ構成メッセージを発行するように構成された、基地局などの送信機である、請求項４３乃至４６のいずれか１項に記載の装置。
【請求項４８】
請求項１乃至４７のいずれか１項に記載の装置を含む、無線通信システム。
【請求項４９】
無線通信システムでデータを受信または送信するようにセミパーシステントスケジューリングを実行することを含み、
ＳＰＡ間隔のサイズは、１つまたは複数の送信時間間隔に基づく、方法。
【請求項５０】
無線通信システムでデータを受信または送信するようにセミパーシステントスケジューリングを実行することと、
構成メッセージを介して前記セミパーシステントスケジューリングを制御することとを含む、方法。
【請求項５１】
前記方法が、前記無線通信システムの送信機または基地局によって実行される、請求項４９または５０に記載の方法。
【請求項５２】
ダウンリンクまたはアップリンク方向であるＳＰＳ方向で無線通信システムの第１のペイロードデータ送信のリソースのセミパーシステントスケジューリング（ＳＰＳ）を実行することと、
前記第１のペイロードデータ送信の前記リソースがスケジューリングされるＳＰＳ時間を、前記ＳＰＳ方向に対向する反対方向の第２のペイロードデータ送信によってトリガすることとを含む、方法。
【請求項５３】
無線通信システムでセミパーシステントスケジューリング（ＳＰＳ）を実行することと、
前記ＳＰＳの構成が変更されるのを変更すること、または前記ＳＰＳを、
前記無線通信システムを介して送信されたペイロードデータを介して別のエンティティと通信する第１のエンティティ、または
物理環境条件に依存する事象を示すメッセージ
によってトリガされることによって確立することとを含む、方法。
【請求項５４】
コンピュータで実施されたときに請求項４９乃至５３のいずれか１項に記載の方法を行う命令を記憶するコンピュータ可読媒体を含む、非一時的コンピュータプログラム製品。
【発明の詳細な説明】
【技術分野】
【０００１】
本発明は、送信機および受信機として機能することができ、基地局または移動端末とすることができる無線通信システムの装置の間でデータが送信される無線通信システム、例えば無線移動通信システムの分野に関する。
【背景技術】
【０００２】
図１は、各々がそれぞれのセル１００１〜１００５によって概略的に表される基地局を囲む特定のエリアを担当する、複数の基地局ｅＮＢ１〜ｅＮＢ５を含む無線通信システムの一例の概略図を示す。基地局は、セル内に存在する移動端末を担当するために設けられる。図１は、５つのセルのみを示すが、無線通信システムは、より多くのそのようなセルを含んでもよい。図１は、セル１００２にあり、基地局ｅＮＢ２によって担当される２つの移動端末ＵＥ１およびＵＥ２を示す。矢印１０２１、１０２２は、それぞれ、移動端末ＵＥ１、ＵＥ２から基地局ｅＮＢ２にデータを送信するための、または基地局ｅＮＢ２から移動端末ＵＥ１、ＵＥ２にデータを送信するためのアップリンク／ダウンリンクチャネルを概略的に表す。無線通信システムは、例えば、周波数分割多重化に基づいてＬＴＥ規格または他のマルチキャリアシステムによって定義されるような、直交周波数分割多重（ＯＦＤＭ）システムまたは直交周波数分割多元接続（ＯＦＤＭＡ）システムであり得る。現在のＬＴＥ規格では、送信時間間隔（ＴＴＩ）は、１ミリ秒の長さを有すると定義され、ＴＴＩは、送信を実行するためにデータが上位層から物理層（ＰＨＹ）にマッピングされ得る粒度である。移動端末は、受信するデータを１ミリ秒の粒度で処理する。移動端末は、ラジオネットワークに同期する必要がある。制御情報は、ミリ秒毎に送られ、何らかのデータが送られたかどうかを確認するために移動端末によって処理され、肯定の場合、移動端末は、データチャネルを復号しなければならない。
【０００３】
データ送信のためのＯＦＤＭＡシステムは、様々な物理チャネルおよび物理信号がマッピングされるリソース要素のセットを含むＯＦＤＭＡベースの物理リソースグリッドを使用する。例えば、ＬＴＥ規格によれば、物理チャネルは、ダウンリンクペイロードデータとも呼ばれるユーザ固有のデータを搬送する物理ダウンリンク共有チャネル（ＰＤＳＣＨ）、例えばマスタ情報ブロックを搬送する物理ブロードキャストチャネル（ＰＢＣＨ）、例えばダウンリンク制御情報（ＤＣＩ）を搬送する物理ダウンリンク制御チャネル（ＰＤＣＣＨ）などを含むことができる。物理信号は、基準信号（ＲＳ）、同期信号などを含むことができる。ＬＴＥリソースグリッドは、周波数ドメインに所与の帯域幅を有する時間ドメインにおいて１０ミリ秒のフレームを含む。フレームは、１ミリ秒の長さの１０個のサブフレームを有し、各サブフレームは、サイクリックプレフィックス（ＣＰ）の長さに応じて６または７つのＯＦＤＭシンボルの２つのスロットを含む。
【０００４】
図２は、異なる選択されたＴｘアンテナポートに対して２つのアンテナポートを有するＬＴＥ  ＯＦＤＭＡベースのサブフレームの一例を示す。サブフレームは、各々がサブフレームの１つのスロットと、周波数ドメインの１２個のサブキャリアとで構成される２つのリソースブロック（ＲＢ）を含む。周波数ドメインのサブキャリアは、サブキャリア０〜サブキャリア１１として示され、時間ドメインでは、各スロットは、７つのＯＦＤＭシンボル、例えばスロット０のＯＦＤＭシンボル０〜６と、スロット１のＯＦＤＭシンボル７〜１３とを含む。リソース要素は、時間ドメインの１つのシンボルと、周波数ドメインの１つのサブキャリアとで構成される。ホワイトボックス１０６は、ペイロード領域とも呼ばれる、ペイロードまたはユーザデータを搬送するＰＤＳＣＨに割り当てられたリソース要素を表す。制御領域とも呼ばれる（非ペイロードまたは非ユーザデータを搬送する）物理制御チャネルのリソース要素は、ハッチングされたボックス１０８によって表される。例によれば、リソース要素１０８は、ＰＤＣＣＨ、物理制御フォーマットインジケータチャネル（ＰＣＦＩＣＨ）、および物理ハイブリッドＡＲＱインジケータチャネル（ＰＨＩＣＨ）に割り当てられてもよい。クロスハッチングされたボックス１１０は、チャネル推定に使用され得るＲＳに割り当てられるリソース要素を表す。ブラックボックス１１２は、別のアンテナポートのＲＳに対応し得る現在のアンテナポートの未使用のリソースを表す。
【０００５】
物理制御チャネルおよび物理基準信号に割り当てられたリソース要素１０８、１１０、１１２は、経時的に均等に分配されない。より具体的には、サブフレームのスロット０では、シンボル０およびシンボル１に関連付けられたリソース要素は、物理制御チャネルまたは物理基準信号に割り当てられ、シンボル０および１のリソース要素は、ペイロードデータに割り当てられない。サブフレームのスロット０のシンボル４に関連付けられたリソース要素、ならびにスロット１のシンボル７および１１に関連付けられたリソース要素は、物理制御チャネルまたは物理基準信号に部分的に割り当てられる。図２に示すホワイトリソース要素は、ペイロードデータまたはユーザデータに関連付けられたシンボルを搬送することができ、シンボル２、３、５および６のスロット０では、すべてのリソース要素１０６をペイロードデータに割り当てることができ、一方でスロット０のシンボル４のペイロードデータに割り当てられるリソース要素１０６は少なく、シンボル０および１のペイロードデータに割り当てられるリソース要素はない。スロット１では、シンボル８、９、１０、１２および１３に関連付けられたリソース要素は、ペイロードデータにすべて割り当てられ、シンボル７および１１では、ペイロードデータに割り当てられるリソース要素は少ない。
【０００６】
サブフレームの持続時間は、１ミリ秒であり、ＬＴＥ規格によれば、ＴＴＩは、１ミリ秒である。図２に示すリソースグリッド構造を使用してデータを送信するとき、受信機、例えば移動端末または移動ユーザは、１ミリ秒で図２に示すリソース要素を受信する。リソース要素によって含まれるまたは定義される情報は、処理することができ、各送信には、すなわち１ミリ秒の長さを有する各ＴＴＩには、一定数のペイロードデータが受信される。送信方式は、受信機が最初に１ミリ秒の持続時間を有する送信を受信し、次に送信が完了すると、何らかのデータが受信機に送られたかどうかを確認するために制御情報を処理するので、１ミリ秒を超えるエンドツーエンドレイテンシをもたらし、それが当てはまる場合、受信機は、１ミリ秒の長さのデータチャネルを復号する。したがって、送信の持続時間および処理時間は、合計で１ミリ秒を超える期間になる。
【発明の概要】
【発明が解決しようとする課題】
【０００７】
上で説明したように、ＰＤＣＣＨは、事前定義された数のＯＦＤＭシンボルによって定義され、すなわち、そこではＰＤＣＣＨのサイズが制限され、その結果、１ミリ秒の長さを有する１サブフレームで搬送され得るＤＣＩの数も制限される。これは、動的スケジューリングを使用するときにサブフレームの割り当てを受信することができるＵＥの数を制限することがある。ＰＤＣＣＨのサイズを増やすことなく、より多くの割り当てをサポートするために、セミパーシステントスケジューリング（ＳＰＳ）を使用することができる。ＳＰＳを使用するとき、ＵＥは、割り当てＩＤとも呼ばれるＳＰＳ−ＲＮＴＩ（ラジオネットワーク一時識別子）、および周期性を用いて送信機または基地局によって事前構成される。事前構成されると、ＵＥは、関連付けられたＳＰＳ−ＲＮＴＩに基づいてデータのダウンリンクおよび／またはアップリンク送信の割り当てを定義するさらなるメッセージを受信することができる。この割り当ては、事前構成された周期性に従って繰り返され、言い換えれば、割り当てられると、リソースは、各サブフレームにおいてスケジューリングを実行する必要なくＵＥによってデータを受信／送信するために繰り返し使用することができる。ラジオリンク条件が変化した場合、基地局は、リソースを再割り当てするためのリソース割り当てメッセージをＵＥに提供することができる。現在、ＳＰＳ間隔、すなわち、ある特定の割り当てられたリソースでデータの送信／受信が実行される周期性は、サブフレーム毎に定義される。さらに、ＵＥを事前構成した後、例えばＰＤＣＣＨで送られるＤＣＩメッセージによって、ＳＰＳのアクティブ化／解放のために追加のメッセージをＵＥに提供する必要がある。さらに、ＳＰＳに直接関連付けられていないＵＥの動作を制御するための任意の制御データが、ＰＤＣＣＨでＤＣＩによって送信される必要がある。
【課題を解決するための手段】
【０００８】
本発明の目的は、無線通信システムにおけるレガシーサービス、ならびにミッションクリティカルでありレイテンシ制約のある通信サービスのセミパーシステントスケジューリングを改善する手法を提供することである。
【０００９】
この目的は、独立請求項に定義されている主題によって達成される。
【００１０】
実施形態は、従属請求項に定義されている。
【００１１】
次に、添付の図面を参照しながら本発明の実施形態をさらに詳細に説明する。
【図面の簡単な説明】
【００１２】
【図１】複数の基地局を含む無線通信システムの一例の概略図である。
【図２】従来のＬＴＥダウンリンク通信に使用することができる２つのアンテナポートのＯＦＤＭＡサブフレームの一例を示す図である。
【図３ａ】従来のＳＰＳ構成の一例を示す図である。
【図３ｂ】従来のＳＰＳ構成の一例を示す図である。
【図４】３ＧＰＰ  ＴＳ  ３６．２１１に従うＬＴＥフレーム構造化タイプ１（ＦＤＤ）の概略図である。
【図５】図３（図３ａおよび３ｂ）の従来のＳＰＳ−ＣｏｎｆｉｇメッセージのｓｐａｒｅＸフィールドを修正するための一例を示す図である。
【図６】図３の従来のＳＰＳ−Ｃｏｎｆｉｇメッセージの非スペアフィールドｓｆＮとスペアフィールドｓｐａｒｅＸの両方が再ラベル付けされる一例を示す図である。
【図７】図３の従来のＳＰＳ−Ｃｏｎｆｉｇメッセージの従来のＳＰＳスケジューリング間隔の列挙されたリストが、レイテンシ制約のあるユーザのＴＴＩまたはｓＴＴＩに基づいて再ラベル付けされる一実施形態を表すテーブルを示す図である。
【図８】低レイテンシユーザのＳＰＳ間隔基準をｓＴＴＩに変更するが、レガシーモードと同じＳＰＳ間隔を構成する可能性を維持するための一例を表すテーブルを示す図である。
【図９】ＳＰＳ間隔をレガシーモードに維持するために使用することができ、レガシーユーザに定義されたミリ秒のＳＰＳ間隔期間を使用しない任意の期間の低レイテンシモードに対してｓＴＴＩまたはＴＴＩに基づいてＳＰＳ間隔を変更するルックアップテーブルの別の例を示す図である。
【図１０】強化されたＳＰＳ構成のＳＰＳ−ＣｏｎｆｉｇＤＬおよびＳＰＳ−ＣｏｎｆｉｇＵＬセクションを実装するための一実施形態を示す図である。図１０（ａ）は、修正されたＳＰＳ−ＣｏｎｆｉｇＤＬセクションを示す図である。図１０（ｂ）は、修正されたＳＰＳ−ＣｏｎｆｉｇＵＬセクションを示す図である。
【図１１】図１１ａは、リスニングウィンドウがＳＰＳ間隔の開始時にスタートし、ＳＰＳ間隔の先頭を越えるためにやや早くスタートする、リスニングウィンドウを実装するための概略図である。図１１ｂは、リスニングウィンドウがＳＰＳ間隔の開始時にスタートし、ＳＰＳ間隔の先頭を越えるためにやや早くスタートする、リスニングウィンドウを実装するための概略図である。
【図１２ａ】ＳＰＳのアクティブ化／解放がＳＰＳ−Ｃｏｎｆｉｇメッセージと共に受信機にシグナリングされる一実施形態によるＳＰＳ−Ｃｏｎｆｉｇメッセージの表現を示す図である。
【図１２ｂ】ＳＰＳのアクティブ化／解放がＳＰＳ−Ｃｏｎｆｉｇメッセージと共に受信機にシグナリングされる一実施形態によるＳＰＳ−Ｃｏｎｆｉｇメッセージの表現を示す図である。
【図１３】本発明の実施形態によるＳＰＳ−Ｃｏｎｆｉｇメッセージに組み込むことができるＳＰＳ関連ＤＣＩコンテンツの例を示すテーブルを示す図である。
【図１４】従来の手法で使用されるＰＵＳＣＨスケジューリングのアップリンクＤＣＩフォーマットである、ＤＣＩフォーマット０を示す図である。
【図１５】図１４で強調表示されている情報を含む本発明のＳＰＳ−Ｃｏｎｆｉｇメッセージの一例を伴うＳＰＳ−Ｃｏｎｆｉｇ  ＵＬを示す図である。
【図１６ａ】図１６は、ＤＬメッセージによってＳＰＳ  ＵＬ許可をトリガするための実施形態を示す図である。図１６ａは直接ＵＬ許可の概略図である。
【図１６ｂ】タイムシフトされたＵＬ許可の概略図である。
【図１６ｃ】ブランキングを伴う直接／タイムシフトされたＵＬ許可の概略図である。
【図１６ｄ】ＤＬ停止／中断後のキープアライブオプションを伴う直接／タイムシフトされたＵＬ許可の一実施形態の概略図である。
【図１６ｅ】ＤＬメッセージによってＳＰＳ  ＵＬ許可をトリガするための実施形態を示す図である。
【図１７】レガシー動作への後続の自動切り替えを伴う、時間ＴＳＳの間に本発明の（ｓ）ＴＴＩ低レイテンシ接続を利用することによってスロースタートフェーズを加速した典型的なＴＣＰフェーズを示す図である。
【図１８】開始時における低レイテンシ動作とレガシー動作との間のＳＰＳ切り替えの自動トリガと、後の時間におけるレガシー動作と低レイテンシ動作との間の分析ベースのトリガされたＳＰＳ切り替えを表す図である。
【図１９】ＳＰＳ−Ｃｏｎｆｉｇメッセージの修正の例を示す図である。図１９ａは、有効時間を間接的にシグナリングする修正されたＳＰＳ−ＣｏｎｆｉｇＤＬセクションを示す図である。図１９ｂは、有効時間フィールドが有効時間を間接的にシグナリングするＳＰＳ−ＣｏｎｆｉｇＤＬセクションを示す図である。
【図２０】ＳＰＳ−Ｃｏｎｆｉｇメッセージの修正の例を示す図である。図２０ａは、スタート時間を間接的にシグナリングする修正されたＳＰＳ−ＣｏｎｆｉｇＤＬセクションを示す図である。図２０ｂは、有効時間フィールドがスタート時間を間接的にシグナリングするＳＰＳ−ＣｏｎｆｉｇＤＬセクションを示す図である。
【図２１】本発明の教示に従って提供されるＳＰＳ構成間の自動切り替えを表す図である。
【図２２】ＳＰＳ  Ｃ−ＲＮＴＩであり得る単一のＣ−ＲＮＴＩのみを使用していくつかの切り替えオプションを可能にするラジオリソース制御（ＲＲＣ）によって提供され得る、ネストされたＳＰＳ−Ｃｏｎｆｉｇメッセージの概略図である。
【図２３】ＳＰＳ−ＣｏｎｆｉｇメッセージにネストされたＳＰＳ−ＣｏｎｆｉｇＤＬセクションを実装するための一例を示す図である。
【図２４】送信機から受信機に情報を送信するための無線通信システムの概略図である。
【図２５】実施形態による受信機にデータまたは情報を送信するための無線通信システムの送信機の概略図である。
【図２６ａ】ベースがＳＰＳ構成によってシグナリング可能である、ＴＴＩが、サブフレームベースのＬＴＥにおけるインター周波数ホッピング、スロットベースのイントラ周波数ホッピング、および最後に単一のＯＦＤＭシンボルベースまたは複数のＯＦＤＭシンボル（スロット未満）ベースのＳＰＳのイントラ周波数ホッピングのサブフレーム例である場合を示す図である。
【図２６ｂ】ベースがＳＰＳ構成によってシグナリング可能である、ＴＴＩが、サブフレームベースのＬＴＥにおけるインター周波数ホッピング、スロットベースのイントラ周波数ホッピング、および最後に単一のＯＦＤＭシンボルベースまたは複数のＯＦＤＭシンボル（スロット未満）ベースのＳＰＳのイントラ周波数ホッピングのサブフレーム例である場合を示す図である。
【図２６ｃ】ベースがＳＰＳ構成によってシグナリング可能である、ＴＴＩが、サブフレームベースのＬＴＥにおけるインター周波数ホッピング、スロットベースのイントラ周波数ホッピング、および最後に単一のＯＦＤＭシンボルベースまたは複数のＯＦＤＭシンボル（スロット未満）ベースのＳＰＳのイントラ周波数ホッピングのサブフレーム例である場合を示す図である。
【発明を実施するための形態】
【００１３】
以下において、本発明の好ましい実施形態は、同じまたは同様の機能を有する要素が同じ参照符号によって参照される添付の図面を参照してさらに詳細に説明される。
【００１４】
図１に示すＯＦＤＭＡシステムのような無線通信システムにおけるデータ送信は、図２に示すようにリソースグリッド構造を使用することができる。送信間隔とも呼ばれるＴＴＩは、データ信号ブロックとも呼ばれるサブフレームの持続時間である１ミリ秒になるように選択される。移動ユーザのような受信機は、１ミリ秒の粒度でデータを処理する、すなわち、ミリ秒毎に、受信機は、ラジオネットワークと同期し、制御情報を処理する。制御情報を処理することが、データが受信機に指定されていることを示す場合、データチャネルは、復号される。例えば機械型通信、車両通信、またはさらなる超低遅延（ＵＬＤ）サービスのように、エンドツーエンドレイテンシを１ミリ秒以下に短縮する必要があるような極端なリアルタイム通信の使用事例などの状況があり得る。受信機が１ミリ秒の粒度でデータを処理するとき、そのようなエンドツーエンドレイテンシの短縮は、達成できない。１ミリ秒以下へのレイテンシ短縮は、例えばスロースタートモードでのファイル転送プロトコル（ＦＴＰ）／送信制御プロトコル（ＴＣＰ）送信において、スループットの向上に関して大きな利点をもたらす可能性があり、またアプリケーション層でのより速い処理につながる可能性がある。図２の例では、サブフレームは、２つのＯＦＤＭシンボルのｓＴＴＩ長さを有する。
【００１５】
図２では、ＯＦＤＭシンボル０および１の複数のリソース要素１０６によって定義されたエリアは、データ信号ブロックの制御領域１１４と呼ばれ、残りのシンボル２〜１３は、ペイロード領域１１６と呼ばれる。制御領域１１４は、例えばＰＤＣＣＨ、ＰＣＦＩＣＨおよびＰＨＩＣＨにおいてＵＥに制御データを送信するために使用される。制御領域の多数のリソース要素は、ＰＣＦＩＣＨに割り当てられ、多数のリソース要素は、ＰＨＩＣＨに割り当てられる。制御領域のさらなるリソース要素は、ＰＤＣＣＨに割り当てられる。ＰＤＣＣＨは、ユーザ機器（ＵＥ）と基地局との間のアップリンク／ダウンリンク通信のための、およびＵＥを動作させるための制御データを搬送することができる。制御領域はまた、基準信号１１０を送信することができる。いくつかのリソース要素、例えば、リソース要素１１２は使用されなくてもよい。制御領域１１４は、サブフレームの制御チャネルとも呼ばれる。
【００１６】
上述のように、無線通信システムにおけるＵＥの性能を改善するために、例えば図１を参照して説明されているように、セミパーシステントスケジューリング（ＳＰＳ）方式を適用することができる。ＳＰＳ方式は、例えば、参考文献［１］および［２］に記載されている。ＳＰＳは、パーシステントスケジューリングと動的スケジューリングの組合せである。パーシステントスケジューリングは、トランスポートブロックの送信を目的とした周期的なリソースの割り当てに使用され、動的スケジューリングは、潜在的に必要とされる増分冗長性、すなわちハイブリッド自動再送要求（ＨＡＲＱ）再送信に使用される。ＳＰＳは、例えば、接続がデータを転送する必要があるときに、ダウンリンク（ＤＬ）およびアップリンク（ＵＬ）リソース割り当てパターンをシグナリングすることから生じる制御情報オーバーヘッドの削減を可能にする。ＳＰＳは、ＦＤＤ（周波数分割複信）とＴＤＤ（時分割複信）の両方のＤＬとＵＬの両方に使用され得る。参考文献［３］には、ＳＰＳの初期構成およびそれに続くアクティブ化／解放が記載されている。基地局は、いつでもＳＰＳを実行するためにＵＥを構成することができる。典型的には、これは、ＲＲＣ（ラジオリソース制御）によるサービスの専用ベアラ確立時に行われる。ＳＰＳは、「ＳＰＳ−Ｃｏｎｆｉｇ」とも呼ばれる構成メッセージを使用して、いつでもＲＲＣによって構成／再構成することができる。ＳＰＳ−Ｃｏｎｆｉｇメッセージは、ＳＰＳ−ＲＮＴＩならびにダウンリンクおよびアップリンクに関する構成情報を含み得る。構成メッセージは、ＵＥがＳＰＳをスタートすることを可能にせず、むしろ、ＵＥを担当する基地局は、ＵＥがＳＰＳ許可／アサインメントを使用することを可能にするようにＳＰＳを明示的にアクティブ化しなければならない。
【００１７】
ＵＥがＵＥに関連付けられたＳＰＳ−ＲＮＴＩを含むＳＰＳ−Ｃｏｎｆｉｇメッセージを受信すると、ＵＥは、ｅＮＢがＤＣＩメッセージを使用していつでもＳＰＳをアクティブ化／解放することができるので、サブフレーム毎にＳＰＳ−ＲＮＴＩによってスクランブルされたＣＲＣ（巡回冗長検査）を用いてＰＤＣＣＨを復号するように上位層によって構成され得る。ＳＰＳアクティブ化／解放メッセージは、参考文献［４］に詳細に説明されているように、ＵＥによって検証される。
【００１８】
有効なアクティブ化の後、ＵＥは、ＳＰＳサブフレーム毎に、すなわち、ＳＰＳ間隔によって定義されるようなサブフレーム毎にＳＰＳ検証済みＤＣＩ制御情報をチェックするために、ＳＰＲ−ＲＮＴＩによってスクランブルされたＣＲＣのＰＤＣＣＨを復号し、ＵＥは、起こり得る変更、例えばアサインされたリソース、送信モード、ＭＣＳ（変調および符号化方式）などにおける変更に関する情報を探す。サブフレーム内のリソースブロックのアサインメントは、基地局の選択に左右され、ＵＥがＳＰＳ検証済みＤＣＩを全く受信しない場合、リソースブロックアサインメント、ならびに送信モードおよびＭＣＳなどの他の送信パラメータは、現在の構成のままであり、それによって制御シグナリングオーバーヘッドを回避する。
【００１９】
ＳＰＳは、周期的なリソース要求を伴うサービスに使用され、異なるアプリケーションは、ＳＰＳ間隔パラメータによって構成され得るトランスポートブロックの異なる到着時間を必要とし得る。例えば、Ｖｏｉｃｅ  ｏｖｅｒ  ＩＰ（ＶｏＩＰ）は、データが２０ミリ秒の周期的なバーストで到着するアプリケーションである。それ以外にも、前述したように、ミッションクリティカルでありレイテンシ制約のある通信サービス、例えば、より短い期間内、例えば、１０ミリ秒未満からマイクロ秒レベル以下までの期間内に事前構成されたリソースを必要とする、機械型通信および車両通信におけるようなＵＲＬＬＣ（超高信頼性低レイテンシ通信）サービスがある。そのようなアプリケーションまたはサービスにＳＰＳを適用することは、頻繁な動的構成更新と比較した場合、可能な限り少ないシグナリングオーバーヘッドをもたらし、本発明の実施形態は、そのようなレイテンシ制約のあるアプリケーションに対するＳＰＳに対応する。
【００２０】
さらに、前述のレイテンシ制約のあるアプリケーションのために、しかし従来のアプリケーションのためにも、アプリケーション層上などのそれぞれのサービスおよび上位ＯＳＩ層、ならびにネットワーク層上のレート制御プロトコル（例えば、ＴＣＰ）は、ＳＰＳがアプリケーション、サービスまたはプロトコルによって直接影響されおよび／または適応され得る場合、ネットワークスループット、適応レイテンシまたはＲＴＴ（往復時間）削減に関して性能を向上させることができる。
【００２１】
第１の態様
本発明によれば、第１の態様は、もはやサブフレームドメインに結び付けられていないが送信時間間隔（ＴＴＩ）ドメインに結び付けられているＳＰＳ間隔または周期性を使用してユーザ機器にＳＰＳを提供し、それによってレイテンシ制約のあるアプリケーションにもＳＰＳを実装することを可能にし、トランスポートブロックの周期的な送信は、ＴＴＩに基づいて自由に定義され得るある特定の間隔で必要とされる。実施形態によれば、基地局は、アプリケーションによって必要とされるような所定の間隔に基づいてＳＰＳを実行するようにＵＥを構成することができ、ＳＰＳ間隔は、データ送信のためにユーザ機器によって使用されるＴＴＩの任意の倍数であり得る。ユーザ機器によって使用されるＴＴＩは、ユーザ機器をセットアップする際に基地局によって指定され得る。また、ＳＰＳを使用してアプリケーションをサービスすることができ、そのようなアプリケーションは、１サブフレームの長さ未満から１ミリ秒程度またはさらに１ミリ秒未満までの間隔で、割り当てられたリソースでデータを送信するための周期性を必要とする。
【００２２】
したがって、第１の態様を定義する本発明の実施形態によれば、装置は、所定の周期で無線通信システムを介してある特定の割り当てられたリソースでデータを受信または送信するように構成することができ、周期性は、データブロックが装置で受信または装置によって送信される送信時間間隔に基づき、装置は、セミパーシステントスケジューリングを実行するように基地局などの送信機から対応する構成メッセージを受信して処理するように構成された、移動端末またはＵＥなどの受信機であり、または装置は、装置のセミパーシステントスケジューリングと一致する方法でセミパーシステントスケジューリングを実行するように受信機を構成するための構成メッセージを移動端末などの受信機に送信するように構成された、基地局などの送信機である。セミパーシステントスケジューリングは、アップリンクまたはダウンリンクに使用され得る。基地局または移動端末である装置に応じて、装置は、割り当てられたリソースにペイロードデータをマッピングする前にペイロードデータを保護するＦＥＣデータと共にペイロードデータをスクランブルおよび／またはインターリーブすることによって、送信時間間隔の単位で、限定はしないが、セミパーシステント的にスケジューリングされたものを含む割り当てられたリソースを介してペイロードデータを送信することができ、または割り当てられたリソースからペイロードデータをデマッピングする際にペイロードデータを保護するＦＥＣデータ共にペイロードデータをデスクランブルおよび／またはデインターリーブすることによって、送信時間間隔の単位で割り当てられたリソースを介してペイロードデータを受信する。言い換えれば、実施形態によれば、装置は、無線通信システムのある特定の割り当てられたリソースで複数の後続の間隔でデータを受信または送信するようにセミパーシステントスケジューリングを実行するように構成され、間隔のサイズは、データブロックが装置で受信または装置によって送信される送信時間間隔に基づく。
【００２３】
この手法は、従来の手法で行われているようにＳＰＳがもはやサブフレーム長さに結び付けられないように、ある特定の割り当てられたリソースでデータが繰り返し送信される「粒度」を変更することを可能にするので有利であり、むしろ、本発明の手法は、無線アプリケーションの特定の要件に応じて、ＳＰＳの間隔のサイズを任意の所望の数のＴＴＩに適応させることを可能にする。実施形態は、低レイテンシ通信サービスにも適用可能であるように、ＴＴＩが例示的に１ｍｓ未満として定義されるとき、ＳＰＳ間隔をサブフレーム長さより実質的に短い時間、１ミリ秒未満でさえも適応させることを可能にする。
【００２４】
第２の態様
第２の態様によれば、本発明は、例えば、通信システムの上位層に経時的に変化し得るＳＰＳ設定を直接または間接的に通信および／または制御させるインターフェース機構を提供することによってＵＥにおいてＳＰＳをより速く実装する手法を提供する。本発明の実施形態によるそのような制御機構は、例えばＴＣＰにおいて、輻輳回避フェーズに素早く到達するためにＳＰＳパラメータのスロースタートフェーズに対する最適化された設定を可能にし、その後、より緩やかな設定を使用することができ、したがってチャネルリソースを解放することができる。別の使用事例は、超低遅延ビデオライブコントリビューションであり得、これはそのビットレートおよび／またはレイテンシ要件を経時的に調整し、そのような場合でも、もはや必要とされない一般的なリソースを解放することができる。他方で、そのようなビデオ送信のための要件が増大する場合、必要とされるチャネルリソースの調整は、可能な限り早い時点で実行され得る。
【００２５】
本発明の実施形態によれば、第２の態様は、無線通信システムを介してある特定の割り当てられたリソースで後続の間隔の優先順位でデータを受信または送信するようにセミパーシステントスケジューリングを実行するように構成された装置を提供し、装置は、構成メッセージを介してセミパーシステントスケジューリングを制御するように構成される。装置が移動端末またはＵＥのような受信機である場合、それは、受信機の動作を制御することからの制御データを含む構成メッセージを受信して処理することができる。言い換えれば、第２の態様によれば、ＳＰＳの使用は、従来の手法とは異なり、例えばＳＰＳが開始されるべき特定のシステムフレーム番号などを示すことによって、例えば、構成時に既にアクティブ化時間を指定することができる制御データを構成メッセージが既に含んでいるために改善され、それによって追加のＤＣＩ通信オーバーヘッドを回避する。また、構成メッセージは、割り当てられたリソースについての必要な情報などを既に含むことができるので、それによりＵＥにこの情報を送信するためのさらなるメッセージは必要とされない。
【００２６】
実施形態によれば、構成メッセージは、単一のメッセージであってもよく、または特定のサービスのＵＥを設定する際に、アプリケーションおよび／またはラジオリンク条件の要件の予想される変更に応じて階層的に構造化され得る複数のメッセージを含んでもよく、アプリケーションまたはサービスまたはプロトコルは、ある構成から別の構成に変更するようにＵＥをシグナリングすることができ、これは、新しい構成全体ではなくある構成から別の構成に変更するためのトリガ信号のみを送る必要があるだけなので、制御データ送信オーバーヘッドの大幅な削減を意味する。
【００２７】
第３の態様
第３の態様によれば、本発明は、ダウンリンクまたはアップリンク方向であるＳＰＳ方向の第１のペイロードデータ送信のリソースのセミパーシステントスケジューリング（ＳＰＳ）を提供し、第１のペイロードデータ送信のリソースがスケジューリングされるＳＰＳ時間は、ＳＰＳ方向に対向する反対方向の第２のペイロードデータ送信によってトリガされる。この構成もまた、ＲＲＣに含まれ得るＳＰＳ構成を介して実行され得る。そのようなＳＰＳの構成は、ＤＬ送信などの第２のペイロードデータ送信をトリガすることと、ＵＬなどのＳＰＳ方向の次の第１のペイロードデータ送信が行われ得るＳＰＳ時間との間の遅延に関連し得る。リスニングウィンドウは、第１の態様におけるようにそのようなＳＰＳ時間に配置されてもよい。そのような方法でセミパーシステントスケジューリング（ＳＰＳ）を実行するように構成された装置は、構成メッセージに従って構成された方法で逆方向トリガセミパーシステントスケジューリングを実行するように基地局などの送信機から対応する構成メッセージを受信して処理するように構成された、移動端末またはＵＥなどの受信機であってもよく、または装置は、装置のセミパーシステントスケジューリングと一致する方法で逆方向トリガセミパーシステントスケジューリングを実行するように受信機を構成するための構成メッセージを移動端末などの受信機に送信するように構成された、基地局などの送信機である。
【００２８】
第４の態様
第４の態様によれば、例えば、第１のエンティティによってトリガされる方法で、ＳＰＳの構成が変更されるか、またはＳＰＳが確立される。第１のエンティティは、例えば、ビットレート適応ストリーミングなどにおけるＨＴＴＰサーバまたはクライアントであり、無線通信システムを介して送信されるペイロードデータを介して別のエンティティと通信する。第１のエンティティがＳＰＳ構成モードの変更または確立をトリガするメッセージは、必ずしも無線通信システムを介して送られるのではなく、コアネットワーク、例えばｅＮｏｄｅＢに何かを送るＨＴＴＰサーバを介して送られる。別のトリガは、装置の物理環境条件に依存する事象を示すメッセージであり得る。装置は、ＳＰＳリソースに使用されるＳＰＳ間隔、ＳＰＳビットレート、符号化および変調に関してＳＰＳの構成を変更する、またはＳＰＳを確立するように構成することができる。装置は、ＴＣＰスロースタートもしくはＴＣＰ輻輳回避（すなわち、ＴＣＰのステータスの変更）、または第１および第２のエンティティの間でビットレート適応的にストリーミングされたビットレートバージョンの変更について装置に通知する第１のエンティティからのメッセージ、ＳＰＳ方向に沿った送信条件の改善または悪化に関するヒント、ＳＰＳを使用して無線通信システムを介して送信されるビデオまたは画像データの解像度、品質または符号化の複雑さの変化、ハンドオーバ状況、ＴＣＰパケット損失、および音声の一時停止／無音への移行の１つまたは複数に応答してＳＰＳの構成を変更するか、またはＳＰＳを確立するように構成することができる。このようにしてセミパーシステントスケジューリング（ＳＰＳ）の構成変更または確立をトリガするように構成された装置は、例えば基地局などの送信機が対応するＳＰＳ構成メッセージを発行することによってＳＰＳを確認してもしなくてもよい、対応するＳＰＳ要求によってＳＰＳ変更または確立を開始するように構成された、移動端末またはＵＥなどの受信機であってもよく、または装置は、移動端末などの受信機に、ＳＰＳの構成の変更または確立のための対応するＳＰＳ構成メッセージを発行するように構成された、基地局などの送信機である。
【００２９】
以下では、前述の２つの態様のさらなる実施形態を詳細に説明する。図３は、ＲＲＣによって提供される従来のＳＰＳ構成の一例を示す（参考文献［５］を参照）。構成パラメータ「ｓｅｍｉ−ｐｅｒｓｉｓｔｅｎｔｓｃｈｅｄｉｎｔｅｒｖａｌＤＬ」および「ｓｅｍｉ−ｐｅｒｓｉｓｔｅｎｔｓｃｈｅｄｉｎｔｅｒｖａｌＵＬ」は、ＳＰＳ期間とも呼ばれる、ＳＰＳ間隔の１６個の異なるモードの列挙を示す４ビットフィールドに基づく。１６個の構成可能なモードから、Ｎ個のサブフレームのスケジューリング期間に対してｓｆＮとラベル付けされた１０個の所定の期間の選択があり、Ｎ≧１０である。さらに、ｓｐａｒｅＸとラベル付けされた６つの動的に調整可能な期間が提供される。基地局は、参考文献［１］に概説されているように、例えば、ＲＲＣ接続セットアップメッセージ、ＲＲＣ接続再構成メッセージ、またはＲＲＣ接続再確立メッセージを使用して、追加のＳＰＳ−Ｃｏｎｆｉｇモードをユーザ機器に提供する。参考文献［２］で定義されているように、サブフレームの倍数に基づく間隔または期間の一般的な依存性、すなわち、数ミリ秒への依存性は、ｓｐａｒｅＸ構成にも有効であるが、ｓｐａｒｅＸ構成を使用するとき、ＳＰＳ期間は、最小１サブフレーム（１ミリ秒）まで低下させることができ、しかし現在のところ、１サブフレーム未満の間隔内、すなわち１ミリ秒未満となるようにＳＰＳを動作させる方式はない。
【００３０】
図４は、３ＧＰＰ  ＴＳ  ３６．２１１に従うＬＴＥフレーム構造化タイプ１（ＦＤＤ）の概略図である。１つのラジオフレームは、１０ミリ秒の長さを有し、１０個のサブフレームを含み、各サブフレームは、２スロットを有するので、ラジオフレームは、２０個のスロットを含む。各スロットは、１５３６０ＴＳ（ＬＴＥにおける基本時間単位、ＴＳ≒３２ｎｓ）に対応する０．５ミリ秒の持続時間を有する。従来の手法によれば、図４に示すようなサブフレームは、システムの送信時間間隔（ＴＴＩ）に等しいので、サブフレームに基づいてＳＰＳ期間を定義することで十分である。しかし、いわゆるショートＴＴＩ（ｓＴＴＩ）は、送信時間間隔が１サブフレームに制限されることを克服し、サブフレームを参照する代わりに、以下の構成を使用することができる（参考文献［６］を参照）。
【００３１】
ダウンリンク（ＰＤＳＣＨ）：２、３〜４、７つのＯＦＤＭシンボル（ＯＳ）を有するｓＴＴＩ
アップリンク（ＰＵＳＣＨ）：２、３〜４つのＯＦＤＭシンボル（ＯＳ）を有するｓＴＴＩ
実施形態によれば、現在のＴＴＩとして、１４個のＯＦＤＭシンボルからなる１サブフレームと一致するように、ｓＴＴＩは、１サブフレーム、例えば、２＋２＋２＋２＋２＋２＋２個のＯＦＤＭシンボル、３＋４＋３＋４個のＯＦＤＭシンボルまたは７＋７個のＯＦＤＭシンボルに収まるように選択され得る。
【００３２】
ＤＬおよびＵＬ制御チャネル（ＰＤＣＣＨ、ＰＵＣＣＨ）を使用する標準ＬＴＥシグナリング手順に加えて、ＤＬおよびＵＬの特別な制御チャネル（ｓＰＤＣＣＨ、ｓＰＵＣＣＨ）は、ｓＴＴＩモードを可能にする低レイテンシで実装されてもよく、１つの特定のｓＴＴＩに適用されかつｓＰＤＣＣＨで搬送されるＤＣＩコンテンツを含むいわゆる「高速ＤＣＩ」が提供されてもよい。「低速ＤＣＩ」は、２つ以上のｓＴＴＩに適用されるＤＣＩコンテンツを搬送するために提供されてもよく、これは、レガシーＰＤＣＣＨとも呼ばれる従来のＰＤＣＣＨで搬送され得る（例えば参考文献［７］の２レベルＤＣＩの概念を参照）。所与のｓＴＴＩのｓＰＤＳＣＨまたはｓＰＵＳＣＨの場合、スケジューリング情報は、低速ＤＣＩと高速ＤＣＩの組合せから取得され得る。標準の許可に基づくシグナリングが短縮されたフレーム構造に使用される場合、アップリンク許可のための制御メッセージ交換は、追加のレイテンシを引き起こし、システムのジッタを増加させ、データレートを減少させる可能性があり、それによりレイテンシ制約のあるサービスにＳＰＳを適応させる場合、ＳＰＳ動作から恩恵を受けるためにオーバーヘッド削減に対処する必要がある。
【００３３】
本発明の第１の態様によれば、ＬＴＥダウンリンクおよびＬＴＥアップリンクにおけるＳＰＳ動作のスケジューリング間隔サイズは、現在ＴＴＩベースで定義され、もはや多数のサブフレームに限定されない。これにより、データを繰り返し受信／送信するために異なるＳＰＳ周期性またはＳＰＳ間隔を必要とし得るアプリケーション、サービスまたはプロトコルに依存する柔軟性の向上が可能になる。さらに、本発明の手法は、将来の通信システムにおいてＴＴＩサイズの任意の変更でＳＰＳを動作させることを可能にする。実施形態によれば、スケジューリング間隔サイズは、ｓＴＴＩに基づき、これは１０ミリ秒未満から１ミリ秒まで、さらには１ミリ秒未満までの間隔でレイテンシ制約のあるサービスのＳＰＳを可能にする。ＳＰＳ間隔を定義するためのベースとしてｓＴＴＩを使用することは、彼が送られる必要があるＤＣＩメッセージの数を削減したために制御シグナリングオーバーヘッドを削減または回避する。
【００３４】
一実施形態によれば、従来のＳＰＳ−ＣｏｎｆｉｇＤＬ／ＵＬは、サブフレームベースからＴＴＩまたはｓＴＴＩベースに適応される。より具体的には、一実施形態によれば、図３に示されているように、現在使用されているＳＰＳ−Ｃｏｎｆｉｇメッセージは、レガシーモードのユーザ、すなわち、多数のサブフレームに基づいて定義されたＳＰＳ間隔に従って動作するユーザと、低レイテンシ動作モードのユーザとを区別することによって再解釈される。レイテンシ動作モードのユーザにとっては、図３のＳＰＳ−Ｃｏｎｆｉｇメッセージのいくつかのフィールドの解釈は、自動的に異なるが、レガシーユーザは、従来のＳＰＳ−Ｃｏｎｆｉｇメッセージを依然として使用することができる。例えば、上記で参照されたスペアフィールド「ｓｐａｒｅＸ」またはそのサブセットは、ＴＴＩまたはｓＴＴＩに基づいてＳＰＳ間隔に使用されるように再ラベル付けされ得る。現時点では、ラベルｓｐａｒｅＸは、デフォルトではユーザによって処理される任意の情報を持っていないが、上述のようにｓｐａｒｅＸフィールドを再ラベル付けするとき、低レイテンシユーザは、再ラベル付けされたｓｐａｒｅＸフィールドを認識し、その中で定義された情報を、例えば、予め定義された数のＴＴＩまたはｓＴＴＩに基づいてＳＰＳ間隔を定義するテーブルに記憶された情報に関連付けることができる。現在のＳＰＳ構成における非スペアフィールド「ｓｆＮ」は、サブフレームベースで有効のままであり得る。
【００３５】
図５は、図３の従来のＳＰＳ−ＣｏｎｆｉｇメッセージのｓｐａｒｅＸフィールドを修正するための一例を示す。図５の左側には、レガシーユーザにさらに使用され得る現在の構成がダウンリンクについて詳細に示されている。本発明の手法によれば、フィールドｓｐａｒｅ１〜ｓｐａｒｅ６は、右側に示されるようにｓｔｔｉＡ〜ｓｔｔｉＦとラベル付けされ、ＳＰＳ  ＤＬスケジューリング間隔を定義するために低レイテンシユーザによって使用され得る。例えば、ｓｔｔｉＸ（Ｘ＝｛Ａ、．．．、Ｆ｝）の時間間隔は、ｓＴＴＩの倍数で定義されてもよく、１つのｓＴＴＩは、ある特定の数のＯＦＤＭシンボル（ＯＳ）、例えば、上述のように２つのＯＳ、３つまたは４つのＯＳ、または７つのＯＳを含むことができる。シーケンスＸは、それに応じて指定されてもよく、例えば、ｓｔｔｉＡは、２つのｓＴＴＩの期間に関連してもよく、ｓｔｔｉＢは、５つのｓＴＴＩの期間に関連してもよく、ｓｔｔｉＣは、１５個のｓＴＴＩの期間に関連してもよいなどである。例えば、ｓＴＴＩが２つのＯＳであると定義されるとき、ｓｔｔｉＡは、ＳＰＳスケジューリング間隔のサイズまたは期間が０．２８ミリ秒であることを示し、ｓｔｔｉＢは、０．７１ミリ秒の間隔を示し、ｓｔｔｉＣは、２．１ミリ秒の間隔を示すことができる。ｓＴＴＩが７つのＯＳによって形成されると考えるとき、ｓｔｔｉＡは、１ミリ秒の期間を示し、ｓｔｔｉＢは、２．５ミリ秒の間隔を示すことができ、ｓｔｔｉＣは、７．５ミリ秒の間隔を示すことができる。アップリンクに関する情報は、ダウンリンクに関して上述したのと同じ方法で修正することができ、ＴＴＩまたはｓＴＴＩベースに応じて、フィールドｓｔｔｉＸは、通信規格によって定義された対応するルックアップテーブルで指定され得る異なる値／パラメータを有し得る。ＵＥは、フィールドｓｔｔｉＸから情報を取り出すことができ、取得された情報に関連付けられた実際のＳＰＳ間隔または期間を取り出すためにテーブルまたは別の種類のデータベースにアクセスするために情報を使用することができる。
【００３６】
フィールドｓｔｔｉＡ〜ｓｔｔｉＦの情報は、ユーザが低レイテンシモードにあるときに低レイテンシユーザによって使用され得るが、低レイテンシモードが必要とされないが周期的なデータ送信が依然として望まれるとき、低レイテンシユーザは、ｓｆＮフィールドによって定義されるように従来のＳＰＳ間隔を使用することができる。
【００３７】
他の実施形態によれば、従来のＳＰＳ−ＣｏｎｆｉｇメッセージのｓｐａｒｅＸフィールドだけでなく、非スペアフィールド「ｓｆＮ」にも再ラベル付けすることができる。図６は、図３の従来のＳＰＳ−Ｃｏｎｆｉｇメッセージの非スペアフィールドｓｆＮとスペアフィールドｓｐａｒｅＸの両方が再ラベル付けされる一例を示す。
【００３８】
図６によれば、ＳＰＳ間隔を定義するためのｓｆＮフィールドは、ＴＴＩまたはｓＴＴＩベースで粒度を縮小することによって適応される。例えば、Ｎ＝｛１０、２０、３２、４０、６４、８０、１２８、１６０、３２０、６４０｝でｓｔｔｉＮとここでラベル付けされた非スペアフィールドは、従来のｓｆＮフィールドのようにレガシーユーザによって解釈されてもよく、低レイテンシモードにないときには低レイテンシユーザによって使用されてもよい。レガシーユーザは、元のフィールドｓｆＮと同じ方法で、すなわちＳＰＳ間隔を形成するサブフレームの数を定義することとして、新しくラベル付けされたフィールドｓｔｔｉ１０〜ｓｔｔｉ６４０を理解することができる。例えば、ルックアップテーブルに基づいて低レイテンシユーザは、ＴＴＩまたはｓＴＴＩベースで定義された異なるＳＰＳ間隔にこれらのフィールドで搬送される情報を関連付けることができ、例えば、ｓｔｔｉ１０の場合、いくつかのＴＴＩまたはｓＴＴＩが示され、１０個のサブフレームの合計長さをもたらす。図６は、左側にダウンリンクについての現在のＳＰＳ−Ｃｏｎｆｉｇメッセージを示す（アップリンクについてのＳＰＳ−Ｃｏｎｆｉｇメッセージは、同様である）。右側には、本実施形態による従来のＳＰＳ−Ｃｏｎｆｉｇメッセージのフィールドを再ラベル付けするための２つの例が示されている。両方の例において、従来のラベルｓｆＮは、修正されたラベルｓｔｔｉＮで置き換えられる。第１の例では、ＴＴＩまたはｓＴＴＩの数に基づくＳＰＳについての低レイテンシモード間隔で低レイテンシユーザへのシグナリングに使用されるスペアフィールドは、ｓｔｔｉ＿ｓｐａｒｅ１〜ｓｔｔｉ＿ｓｐａｒｅ６とラベル付けされる。第２の例では、スペアフィールドは、図５を参照して上述した実施形態におけるようにラベル付けされる。
【００３９】
図８は、図３の従来のＳＰＳ−Ｃｏｎｆｉｇメッセージの従来のＳＰＳスケジューリング間隔の列挙されたリストが、レイテンシ制約のあるユーザのＴＴＩまたはｓＴＴＩに基づいて再ラベル付けされる一実施形態を表すテーブルを示す。この実施形態によれば、ダウンリンクおよびアップリンクの１６個の要素の列挙されたリストを有する従来のＳＰＳ−Ｃｏｎｆｉｇメッセージは、ＴＴＩまたはｓＴＴＩを使用するルックアップテーブル仕様に従って低レイテンシユーザの値／パラメータ化に関して変更される。
【００４０】
図７は、左側にダウンリンクについての従来のＳＰＳ−Ｃｏｎｆｉｇメッセージを示す（アップリンクについてのＳＰＳ−Ｃｏｎｆｉｇメッセージは、同様である）。右側には、ＳＰＳ−Ｃｏｎｆｉｇメッセージが本実施形態に従って修正されたものとして示されている。ｓｐａｒｅＸフィールドは、この実施形態では、図６を参照して上で説明したように修正される（例１および例２を参照）。両方の例において、元のラベルｓｆＮは、ラベルｓｔｔｉ＿ｎｏｎｓｐａｒｅ１〜ｓｔｔｉ＿ｎｏｎｓｐａｒｅ１０で置き換えられ、これらのフィールドの情報に基づいて、ＳＰＳ間隔は、図６を参照して上述したように、ｓＴＴＩまたはＴＴＩベースで定義され得る。
【００４１】
図８は、低レイテンシユーザのＳＰＳ間隔基準をｓＴＴＩに変更するが、レガシーモードと同じＳＰＳ間隔を構成する可能性を維持するための一例を表すテーブルを示す。図８は、従来のＳＰＳ−ＣｏｎｆｉｇメッセージのｓｆＮおよびｓｐａｒｅＸフィールドに定義された情報を使用してアクセスすることができる、または図５、図６および図７を参照して上述した再ラベル付けされたフィールドによってアクセスすることができるルックアップテーブルの一例である。１列目は、ＳＰＳ−Ｃｏｎｆｉｇメッセージで現在使用されている列挙されたリストを表す。２列目は、ミリ秒単位でＳＰＳ間隔を表し、３列目は、レガシーユーザがサブフレームベースで取得するルックアップテーブル情報を表す。左側の３つの列は、低レイテンシユーザに関連付けられ、ｓＴＴＩベースが７つのＯＦＤＭシンボル、４つおよび３つのＯＦＤＭシンボルの組合せまたは２つのＯＦＤＭシンボルである場合についてのｓＴＴＩベースでのＳＰＳ間隔定義を示す。最初の１０行は、フィールドｓｆ１０〜ｓｆ６４０に関連付けられ、ｓＴＴＩの数は、従来定義されているように、１０ミリ秒〜６４０ミリ秒の対応するＳＰＳ間隔が達成され得るようになっている。例えば、ＴＴＩとして７つのＯＦＤＭシンボルのＴＴＩの場合、１０ミリ秒のＳＰＳ間隔は、２０個のｓＴＴＩによって定義される。ｓｐａｒｅＸフィールドは、低レイテンシサービスに必要となる可能性があるため、５ミリ秒、１ミリ秒、０．５ミリ秒、０．４ミリ秒、０．３ミリ秒および０．２ミリ秒のＳＰＳ間隔を取得するためのｓＴＴＩの数を示す。低レイテンシユーザによって使用されるｓＴＴＩベースは、基地局とユーザとの間の通信をセットアップする際に基地局によって、低レイテンシユーザ、例えば受信機または移動端末にシグナリングされ得る。
【００４２】
図９は、ＳＰＳ間隔をレガシーモードに維持するために使用することができ、レガシーユーザに定義されたミリ秒のＳＰＳ間隔期間を使用しない任意の期間の低レイテンシモードに対してｓＴＴＩまたはＴＴＩに基づいてＳＰＳ間隔を変更するルックアップテーブルの別の例を示す。低レイテンシモードのユーザの場合、フィールドｓｆ１０〜ｓｆ６４０は、取得されるＳＰＳ間隔の所望の長さに応じて任意の所望の数のｓＴＴＩを定義し、例えば、使用されるｓＴＴＩに応じて、１０ミリ秒未満の任意の期間およびレガシーユーザに定義された期間の間の任意の期間を取得することができる。
【００４３】
他の実施形態によれば、従来のＳＰＳ構成は、ｅＳＰＳ−Ｃｏｎｆｉｇメッセージとも呼ばれる強化されたＳＰＳ構成を定義するように修正することができ、ＳＰＳ間隔は、図５〜図９を参照して上で説明したように定義することができる。他の実施形態では、ＳＰＳ間隔は、ＴＴＩまたはｓＴＴＩベースで定義されてもよく、異なるビット長さの新しい列挙リストを使用してもよく、すなわち、ビットのようにより多いまたはより少ない要素を使用してもよい。例えば、短縮されたビットフィールドがシグナリングオーバーヘッドを削減するために使用されてもよく、それによってより少ないＳＰＳ間隔構成をサポートし、例えば２または３ビットのみが使用されてもよい。拡張ビットフィールドは、５ビットまたは６ビットのようなより大きいＳＰＳ間隔構成のセットをサポートするために使用されてもよく、また非スペアフィールドとスペアフィールドの比率は、様々な異なるシナリオをカバーするために可変的に定義されてもよい。
【００４４】
さらなる実施形態によれば、強化されたＳＰＳ構成は、ＳＰＳ間隔の値を直接シグナリングすることができる。図１０は、強化されたＳＰＳ構成のＳＰＳ−ＣｏｎｆｉｇＤＬおよびＳＰＳ−ＣｏｎｆｉｇＵＬセクションを実装するための一実施形態を示し、図１０（ａ）は、修正されたＳＰＳ−ＣｏｎｆｉｇＤＬセクションを示し、図１０（ｂ）は、修正されたＳＰＳ−ＣｏｎｆｉｇＵＬセクションを示す。それぞれのフィールドは、ＴＴＩまたはｓＴＴＩベースで間隔を示す整数値を表す値を直接送信することによってＳＰＳ間隔を定義することができる。上述の列挙されたリストにおけるような間隔のラベリングは必要とされず、Ｎビットのフィールドは、２Ｎの可能なＳＰＳ間隔を表す。
【００４５】
さらなる実施形態によれば、特定の間隔長さを表すために送信されるビットの数を減らすために、確率／発生に応じて可変長の符号化シンボルを有するハフマンコードのようなプレフィックスコードを使用することができる。例えば、１０個のｓＴＴＩのＳＰＳ間隔が５つのＳＰＳ間隔のセットから最も高い確率を有すると仮定すると、実施形態によれば、この間隔は、コードワード「１１」を使用して符号化することができ、他の４つのＳＰＳ間隔は、それらのランク付けされた確率に基づいて「１０」、「００」、「０１０」および「０１１」として符号化することができ、一意に復号可能であるが可変長のビット表現を有する。コードワードが短いと復号化が速くなるので、有利である。実施形態によれば、他のプレフィックスコードまたはコードワードもＳＰＳ間隔長さを表すために使用されてもよい。
【００４６】
本発明のさらなる実施形態によれば、ＳＰＳ間隔をシグナリングすることに加えて、リスニングウィンドウが定義されてシグナリングされる。図１１ａおよび図１１ｂは、事前定義された数のＴＴＩまたはｓＴＴＩによって複数のＳＰＳ間隔に対して定義されたサイズを有するリスニングウィンドウを実装するための概略図を示す。２つ以上のｓＴＴＩまたはＴＴＩにまたがるリスニングウィンドウは、各ＳＰＳ間隔の開始時に定義される。従来、ＳＰＳ間隔設定は、ある特定のユーザが１つのＴＴＩまたはｓＴＴＩ内でリソースをアサインされる間隔（時間のある特定の周期的瞬間における）を定義する。ユーザは、アサインされたリソースに関する情報を取得するために、この指定されたＴＴＩまたはｓＴＴＩ内でアクティブまたはリスニング状態である。
【００４７】
本実施形態によれば、追加のシグナリングは、アップリンクまたはダウンリンクについて「ＬｉｓｔｅｎｉｎｇＰｅｒｉｏｄＵＬ」または「ＬｉｓｔｅｎｉｎｇＰｅｒｉｏｄＤＬ」として修正されたＳＰＳ−Ｃｏｎｆｉｇメッセージでラベル付けされ得るリスニングウィンドウサイズについてユーザまたは受信機に通知することを行う。リスニングウィンドウは、柔軟なサイズであり得、従来使用されているようにただ１つの（ｓ）ＴＴＩ、または２つ以上の（ｓ）ＴＴＩの長さを有するものとしてシグナリングされ得る。異なるウィンドウサイズにわたるＳＰＳパケットのスケジューリングは、さらなる柔軟性を提供し、ウィンドウが長くなるとスケジューリングされたパケットの精度におけるジッタを許容し、遅延耐性サービスのリスニングウィンドウが長くなると、ＴＴＩの開始時に遅延敏感サービスの最適化されたスケジューリングを可能にするので有利である。言い換えれば、他のサービスよりも遅延に敏感なサービスは、ウィンドウの開始時にそれらのスケジューリング情報を、好ましくは遅延なしに受信し、一方、それほど遅延に敏感ではない他のサービスは、そのような遅延耐性サービスにはまだ十分であるウィンドウ内のある場合にスケジューリング情報を受信する。さらなる利点は、受信機またはユーザが従来の手法におけるような１つの（ｓ）ＴＴＩだけよりも長い期間リスニングモードでアクティブに留まるので、ネットワーク遅延が遅れて到着するパケットに対してより高い許容度で補償され得ることである。
【００４８】
一実施形態によれば、リスニングウィンドウサイズは、追加のパラメータフィールドとしてＳＰＳ−Ｃｏｎｆｉｇメッセージ内に示されてもよく、典型的には、レガシーユーザのサブフレームベースの、またはレイテンシ制約のあるユーザのような他のユーザの（ｓ）ＴＴＩベースの列挙されたパラメータフィールドであり得る。列挙されたパラメータフィールドに基づいてリスニングウィンドウのサイズを定義するために、図８および図９を参照して上述したのと同様のルックアップテーブルを使用することができる。他の実施形態によれば、リスニングウィンドウサイズは、例えば、整数値として直接シグナリングされてもよく、またはウィンドウサイズの（ｓ）ＴＴＩ乗数を示す整数値を表すビットストリームとしてシグナリングされてもよい。例えば、整数値３を表すビットストリームを送信するとき、レイテンシ制約のあるユーザまたは受信機は、リスニングウィンドウサイズが従来の１つの（ｓ）ＴＴＩの長さではなく３つの（ｓ）ＴＴＩであることを理解する。
【００４９】
リスニングウィンドウサイズに関するさらなる実施形態によれば、現在のウィンドウがそのフルサイズに到達する前に、ユーザ機器のスリープモードへの早期のフォールバックを可能にするためにリスニング停止方式を実装することができる。これは、受信機におけるエネルギー節約を可能にするので有利である。実施形態によれば、スリープモードへの早期のフォールバックは、データを受信した後、例えば受信した１つのパケットが後続の（ｓ）ＴＴＩに追加のデータが予想されることを示さない限り、１つのパケットを受信した直後に暗黙的に実現され得る。例えば、受信機は、例えば最初の（ｓ）ＴＴＩにおいてリスニングウィンドウ内でリソース割り当てメッセージを受信することができ、メッセージは、リソース割り当てに変更がないことなどを示すことができる。したがって、それ以上のデータは予想されず、受信機は、データの周期的な送信／受信の時までスリープモードに戻ることができる。リソース割り当てメッセージがリソース割り当ての変更などを示す状況では、追加の情報は、次の（ｓ）ＴＴＩに提供されてもよく、それにより受信機が起動したままである。他の実施形態によれば、受信機は、リスニングをオフに切り替えるためにわずかにシグナリングされ得る。例えば、シグナリングは、スケジューリングメッセージの代わりに基地局によって提供されてもよい。
【００５０】
リスニングウィンドウの間に検索された制御メッセージは、変更を示すアクティブ化、非アクティブ化、またはリソース割り当てメッセージであり得る。
【００５１】
図１１ｂからわかるように、リスニングウィンドウは、図１１ａに示すようにＳＰＳ間隔の開始時にスタートすることができる。しかし、あるいは、リスニングウィンドウは、図１１ｂに示すようにＳＰＳ間隔の開始前に１つまたは複数の送信時間間隔をスタートし（２つが例示的に図１１ｂに示されている）、ＳＰＳ間隔の開始後に少なくとも１つの送信時間間隔を終了する。数は、記載されているように、構成可能であり得る。受信機または移動端末は、セミパーシステントスケジューリングの通信無線通信システムのリソースの割り当ての予備的または最終的な非アクティブ化を明示的に示すもの、セミパーシステントスケジューリングの構成の変更を示すもの、および／またはリスニングウィンドウ内の後続の（ｓ）ＴＴＩのいずれか内に割り当てられているさらなるリソースの存在を示すことなく、現在のＳＰＳ間隔のセミパーシステントスケジューリングの無線通信システムのリソースのスペクトル時間位置を示すものなど、リスニングウィンドウの間のある特定の制御メッセージに応答して、リスニングウィンドウの終了前に制御メッセージのリスニングを停止するように構成することができ、それにより受信機は、現在のＳＰＳ間隔のセミパーシステントスケジューリングのリソースを受信した後にさらなる制御メッセージのリスニングを停止する。
【００５２】
デフォルトモードでは、フォールバックソリューションのように、ＳＰＳリソースは、リスニングウィンドウの終了にある。つまり、先行するＴＴＩでは、変更をシグナリングすることができる。それ以外の場合は、フォールバックリソースが使用される。これは、シグナリングオーバーヘッドを削減する。すなわち、現在の間隔のセミパーシステントスケジューリングのリソースは、リスニングウィンドウ内の最後の送信時間間隔内にリソースブロックからのＳＰＳペイロードデータの送信または受信のために使用され、以下の条件：受信側が、制御メッセージのリスニングをまだ停止していない、受信機が、リスニングウィンドウの最後の送信時間間隔に先行する送信時間間隔のリソースブロックから現在の間隔のセミパーシステントスケジューリングのリソースにまだアクセスしていない、最後の送信時間間隔の制御チャネル内には、最後の送信時間間隔内のリソースブロックの位置を示す制御メッセージがない、の１つまたは複数が満たされているかどうかに応じて、デフォルト位置とＴＴＩ内位置で一致する。デフォルト位置は、構成メッセージ内に示され得るか、または直前のＳＰＳ間隔で使用された最後のＴＴＩ内位置である。
【００５３】
第１の態様に従って説明された実施形態は、もはやサブフレーム長さの倍数ではないＳＰＳ間隔に拡張することによるＳＰＳの改良に関するが、任意の長さ、例えば、低レイテンシアプリケーションに必要とされる可能性があるので１ミリ秒よりさらに短い長さの定義を可能にする。上述の実施形態では、従来のＳＰＳ−Ｃｏｎｆｉｇメッセージは、受信機にそれぞれの修正されたＳＰＳ間隔をシグナリングするように修正されていた。しかし、前述のように、ＳＰＳ−Ｃｏｎｆｉｇメッセージは、ユーザで実際のＳＰＳをスタートしない。参考文献［３］で説明されているように、ＳＰＳをスタートするために受信機によって検証される必要がある追加のアクティブ化メッセージが必要とされる。この追加のメッセージは、追加の制御データ転送オーバーヘッドを提供し、これは、本発明の第２の態様によれば、ＳＰＳ−Ｃｏｎｆｉｇメッセージを修正することによって低減され、その結果、受信機の動作を制御するための追加の制御データが、最初に送られた構成メッセージに既に含まれる。ＳＰＳ−Ｃｏｎｆｉｇメッセージの追加の制御データの提供に関する以下の実施形態は、ＳＰＳ間隔がサブフレーム長さに基づいてシグナリングされるレガシーユーザと、ＳＰＳ間隔がＴＴＩまたはｓＴＴＩに基づいてシグナリングされる第１の態様の上述の実施形態のレガシーユーザの両方に使用することができる。
【００５４】
本発明の第２の態様の第１の実施形態によれば、現在ＰＤＣＣＨまたはｓＰＤＣＣＨのＳＰＳ−Ｃｏｎｆｉｇメッセージとは別に送信されているＳＰＳ検証済みＤＣＩメッセージのコンテンツは、ＳＰＳ−Ｃｏｎｆｉｇメッセージに「ピギーバック」される。
【００５５】
図１２は、ＳＰＳのアクティブ化／解放がＳＰＳ−Ｃｏｎｆｉｇメッセージと共に受信機にシグナリングされる一実施形態によるＳＰＳ−Ｃｏｎｆｉｇメッセージの表現を示す。ＳＰＳ−Ｃｏｎｆｉｇメッセージは、追加のフィールド「アクティブ化時間」、「アクティブ化遅延」および「有効時間」を含む。一例によれば、アクティブ化時間のみがＳＰＳ−Ｃｏｎｆｉｇメッセージに示され、それによってＲＲＣによって提供されるようにＳＰＳ−Ｃｏｎｆｉｇメッセージにアクティブ化時間を定義することによって自動のＤＣＩ非対応ＳＰＳアクティブ化を提供する。アクティブ化スタートのシグナリングは、例えば、ＳＰＳがスタートされることになるサブフレーム番号、ラジオフレーム番号またはｓＴＴＩ番号を示すことができる。さらなる実施形態によれば、アップリンクとダウンリンクとの間の正確なアクティブ化タイミングおよびオフセットを可能にするために、追加の遅延は、フィールド「アクティブ化遅延」を使用して、例えばサブフレーム番号、ラジオフレーム番号、またはダウンリンクおよびアップリンクのｓＴＴＩ番号として別々にシグナリングされてもよい。またさらなる実施形態によれば、ＳＰＳの自動解放を提供するために、有効期間は、（サブフレーム、ラジオフレーム、またはＴＴＩとして定義される）期間に到達すると、追加の制御データトラフィックなしにＳＰＳが自動的に終了するようにアップリンクおよびダウンリンクにシグナリングされてもよい。図１２を参照して説明した手法は、ＳＰＳアクティブ化を可能にするようにＳＰＳ検証済みＤＣＩメッセージを頻繁に送信、監視および復号する必要を回避するので有利である。
【００５６】
他の例によれば、ＳＰＳ−Ｃｏｎｆｉｇメッセージにアクティブ化および解放情報を統合する代わりに、ＳＰＳ検証済みＤＣＩメッセージの前述の頻繁な監視および復号を回避するために、アクティブ化および解放は、例えばＲＲＣメッセージとして、ＰＤＳＣＨ（ＤＬ）またはＰＵＳＣＨ（ＵＬ）の送信されたユーザペイロードデータに統合される追加の制御ビットによってシグナリングされ得る。
【００５７】
さらなる実施形態によれば、ＳＰＳのアクティブ化／解放のシグナリングがＳＰＳ−Ｃｏｎｆｉｇメッセージである代わりに、またはそれに加えて、他のＳＰＳ関連ＤＣＩコンテンツがＳＰＳ−Ｃｏｎｆｉｇメッセージに組み込まれてもよい。実施形態は、例えば、安定したチャネル条件が仮定され得る状況において、すべてのＳＰＳ関連シグナリング情報がＤＣＩメッセージからＳＰＳ−Ｃｏｎｆｉｇメッセージに転送され得るので、ＰＤＣＣＨのＳＰＳ検証済みＤＣＩメッセージのリスニングを完全にスキップすることを可能にする。また、（ｓ）ＴＴＩベースで定義されたＳＰＳ間隔は、チャネルダイナミクスがそれほど急速には変化しないと仮定されるのでこの手法を使用することができ、それにより頻繁なＳＰＳ再構成が必要ではない。図１３は、本発明の実施形態によるＳＰＳ−Ｃｏｎｆｉｇメッセージに組み込むことができるＳＰＳ関連ＤＣＩコンテンツの例を示すテーブルを示す。
【００５８】
より具体的には、図１３のテーブルは、最上行にＰＤＣＣＨによって従来提供されていた情報の一例を示し、中央行は、ＳＰＳ−Ｃｏｎｆｉｇメッセージに組み込むことができる情報またはコンテンツの第１の例を示し、最下行は、ＲＲＣによって提供されるＳＰＳ−Ｃｏｎｆｉｇメッセージに組み込むことができる情報またはコンテンツの第２の例を示す。
【００５９】
従来の手法によれば、ＳＰＳ−Ｃｏｎｆｉｇメッセージのリソースブロックアサインメントおよび／または他のＤＣＩ情報のシグナリングは想定されておらず、むしろそのようなすべてのデータおよび情報は、ＳＰＳ検証済みＤＣＩメッセージを介して提供される。
【００６０】
ＤＣＩシグナリングがｅＳＰＳ−Ｃｏｎｆｉｇに完全に組み込まれる場合、ＤＣＩメッセージは、ＳＰＳ送信には必要ではなく、この目的のために送信されなくてもよい。しかし、基地局は、ＤＣＩメッセージを通じてアップリンク方向にＳＰＳを動作させる移動端末のＳＰＳ送信を非アクティブ化することができない。したがって、基地局がこのＳＰＳアップリンク送信を非アクティブ化したい場合、ＮＡＣＫ（非確認応答）メッセージで応答することができる。ＡＣＫ／ＮＡＣＫメッセージは、ペイロードデータの任意の送信機がペイロードデータの送信に続いてリスニングしなければならないＰＨＩＣＨ（物理ハイブリッドＡＲＱインジケータチャネル）を介して送信される。ＮＡＣＫを受信する場合、ペイロード送信機は、通常、ＨＡＲＱと呼ばれる障害送信の軽減を開始するために、後続のＴＴＩのＤＣＩ制御メッセージを読み取る。したがって、上述のようにアップリンク方向でＳＰＳを動作させる移動端末は、障害が発生したＳＰＳパケットの（Ｈ）ＡＲＱ応答についてＤＣＩメッセージをリスニングしなければならない。ここで、ＤＣＩメッセージにおいて、ＳＰＳ送信のキャンセルがシグナリングされる。したがって、基地局によって「悪用された」ＮＡＣＫは、誤ったパケットを示すために使用されるのではなく、ＳＰＳアップリンク送信のキャンセルを開始するため、または受信機もしくは移動端末にＳＰＳ制御関連制御メッセージをリスニングさせるため、フェイクＮＡＣＫと呼ばれることがある。言い換えれば、移動端末は、アップリンクのセミパーシステントスケジューリングによって割り当てられたリソース内でデータを送信することができ、装置は、ＮＡＣＫメッセージに応答して、送信障害のヒントおよびセミパーシステントスケジューリングの再構成に関する情報についてＮＡＣＫメッセージに続く制御メッセージを調べるように構成される。基地局は、アップリンクでＳＰＳリソースを介して送信機から受信したデータを正しく受信したにもかかわらずそのようなＮＡＣＫを送るが、フェイクＮＡＣＫに応答して移動端末によって検査されたＴＴＩのＤＣＩにＳＰＳ再構成制御メッセージを挿入する。したがって、セミパーシステントスケジューリングが通常、セミパーシステントスケジューリングを介して、または非セミパーシステントな方法で割り当てられた無線通信システムのリソースのペイロードセクション内に含まれる構成メッセージによって構成されるということは、もはや邪魔をしない。セミパーシステントスケジューリングは、任意のＮＡＣＫメッセージに応答して見出される制御メッセージに加えて、セミパーシステントスケジューリングを介して、または非セミパーシステントな方法で排他的に割り当てられた無線通信システムのリソースのペイロードセクション内に含まれる構成メッセージによって再構成可能であり得る。
【００６１】
本発明の手法の第１の例によれば、データの転送のためのすべてのリソースブロックアサインメントおよびすべての他の関連情報の完全なシグナリングは、本発明のＳＰＳ−Ｃｏｎｆｉｇメッセージに組み込まれ、それにより周波数ホッピングパターンに関する情報も含まれる場合、ＳＰＳ動作のためにＤＣＩメッセージは全く必要とされない。周波数ホッピングパターンがＳＰＳ−Ｃｏｎｆｉｇメッセージの一部として含まれない場合、ＤＣＩメッセージは、依然として必要とされない。
【００６２】
本発明の手法の第１の例によれば、部分情報がＳＰＳ−Ｃｏｎｆｉｇメッセージに含まれ、これにより、例えば自己完結型フレーム構造において、ＤＣＩメッセージを削減したまたは狭帯域ＤＣＩメッセージとして構成することが可能になる。この手法は、モノのインターネット（ＩｏＴ）のデバイスまたは受信機の電池の電力を節約するのに適し得る。
【００６３】
図１４は、ＤＣＩフォーマット０を示し、これは、従来の手法で使用されるＰＵＳＣＨスケジューリングのアップリンクＤＣＩフォーマットであり、強調表示されたフィールド、周波数ホッピング情報、リソースブロックアサインメント（最大１３ビット）、およびＭＣＳレベルのメッセージングの５ビットを定義する。強調表示されたフィールドを本発明のＳＰＳ−Ｃｏｎｆｉｇメッセージにシフトすることは、図１４で強調表示された情報を含む本発明のＳＰＳ−Ｃｏｎｆｉｇメッセージに対するＳＰＳ−Ｃｏｎｆｉｇ  ＵＬを示す図１５を参照して説明される。周波数ホッピング情報をＳＰＳ−Ｃｏｎｆｉｇメッセージにシフトすることは、狭帯域送信リソースの周波数ダイバーシティを可能にし、図１３の第１の例に示すようにＰＤＣＣＨでＤＣＩメッセージは必要とされず、または図１３の第２の例に示すように狭帯域ＤＣＩメッセージの削減を可能にする。周波数ホッピング手順は、参考文献［８］および［９］で定義されているように、ＰＵＳＣＨの一般的なＵＬの従来の規格に従って実行され得る。
【００６４】
本発明の実施形態によれば、アップリンクにおいて使用されるような周波数ホッピングについての上述の手法は、ダウンリンクにおいてリソース割り当てホッピングパターンを可能にするように拡張される。これらの実施形態によれば、ダウンリンクＳＰＳに対する周波数ホッピングがサポートされる。ダウンリンクでは、現在、周波数ホッピングは、参考文献［１０］で定義されているように、モード「帯域幅低複雑度（ＢＬ）」および「カバレッジ強化（ＣＥ）」のＵＥに対してのみ有効にされている。本実施形態によれば、周波数ホッピングはまた、周波数ホッピング情報をＳＰＳ−ＣｏｎｆｉｇメッセージのＳＰＳ−ＣｏｎｆｉｇＤＬセクションに含めることによってＤＬ  ＳＰＳに対して有効にされる。
【００６５】
現在、周波数ホッピングは、スロットおよびサブフレームにわたる割り当て変更を可能にするために参考文献［８］に概説されているように、スロット０とスロット１に対して異なる割り当てを潜在的に提供することによって図２６ａに示すようにサブフレーム間ベースで、かつ異なるシーケンスオプションを用いて図２６ｂに示すようにサブフレーム内およびサブフレーム間ベースで機能する。これらのモードはまた、図２６ｃに示すように１つのＯＦＤＭシンボルに一般的に基づいてＳＰＳ  ＤＬに対して有効にされ、それによってより頻繁なホッピングを可能にする。さらに、ホッピング基準が、例えばＯＦＤＭシンボルの数がホッピングが発生したものであることを示すＳＰＳ−Ｃｏｎｆｉｇメッセージに導入されてもよく、これはよりきめ細かいホッピング手順を可能にする。
【００６６】
したがって、構成メッセージによって伝達される周波数ホッピング情報は、ホッピングパターンおよび／またはホッピング基準、すなわちホッピングのスペクトルおよび／または時間粒度を示すことができる。図２６ａ〜図２６ｃによって、ホッピングパターンの時間ホッピング粒度の切り替えが示されており、ホッピング基準は、構成メッセージでシグナリングされる。
【００６７】
第３の態様に関係するがＳＰＳ構成の形態で同様のシグナリングを使用することができるさらなる実施形態によれば、本発明の手法は、認識されて特定のダウンリンクメッセージを引き起こす可能性がある特定のトラフィックパターンに応答する条件付きＳＰＳ  ＵＬ許可を可能にし、それが次に１つまたは複数のアップリンクメッセージの送信をトリガする。例えば、産業用ロボットの軸、工具中心点など、または無人搬送車のような移動を操縦するためには、ターゲットに関するデータ、例えば次のステップの座標に関する正確なデータ、または一定の速度を仮定した方向の相対データは、ダウンリンクで送られ、一方、現在の位置に関する回答は、座標と同様に、アップリンクで逆方向に送信される。本明細書に記載の実施形態によれば、ＤＬ／ＵＬメッセージ対について、上述したものと同様に、特別なインジケータがＳＰＳ  ＵＬ許可をトリガするためにＳＰＳ  ＤＬ構成に提供される。ＤＬメッセージのトリガをスタートする前にＳＰＳ  ＵＬが既に確立されている場合、構成は、ＤＬトリガによって修正されてもよい。
【００６８】
以下、ＳＰＳ  ＵＬ許可をトリガするための実施形態を図１６を参照して説明する。図１６（ａ）は、直接ＵＬ許可の概略図である。この実施形態によれば、ＳＰＳ  ＤＬは、ＵＬ許可をトリガし、ＤＬが受信されたときに即時ＵＬ送信が直接実行される。したがって、アップリンクは、ＤＬ構成のＳＰＳ間隔にそれ自体を適応させる。例によれば、いくつかのＤＬメッセージがスキップされる場合、対応するＵＬ許可も同様にスキップされる。スキップされたＤＬメッセージおよびスキップされたＵＬメッセージは、それぞれ用語ＤＬおよびＵＬではなく「−−」の付いたブロックによって示される。
【００６９】
図１６（ｂ）は、タイムシフトされたＵＬ許可の概略図である。この実施形態によれば、ＳＰＳ  ＤＬメッセージは、ＵＬ許可をトリガし、ＵＬ送信は、受信されたＤＬメッセージに対していくらかの遅延を伴って、例えば一定の（ｓ）ＴＴＩを伴って実行される。ＵＬは、いくらかの反応時間でＤＬ構成のＳＰＳ間隔にそれ自体を適応させ、いくつかのＤＬメッセージがスキップされる場合、ＵＬ許可も同様にスキップされる。図１６（ｂ）において、ＵＬ送信をスタートする際の遅延は、ＵＬブロックに先行するハッチングされたフィールドによって概略的に表される。スキップされたＤＬメッセージおよびスキップされたＵＬメッセージは、それぞれ用語ＤＬおよびＵＬではなく「−−」の付いたブロックによって示される。
【００７０】
図１６（ｃ）は、ブランキングを伴う直接／タイムシフトされたＵＬ許可の概略図である。ＳＰＳ  ＤＬメッセージは、ＵＬ許可をトリガし、ＵＬ送信は、ＤＬメッセージの受信直後に行われるか、またはＤＬメッセージに対する（ｓ）ＴＴＩ遅延のように、いくらかの遅延を伴って実行される。ＵＬは、アップリンク送信が行われないｎ番目の間隔毎にスキップされるという点で、ＤＬ構成とは異なるＳＰＳ間隔にそれ自体を適応させる。ブランキングされたアップリンクメッセージは、用語ＵＬではなく「−−」の付いたブロックによって示される。図１６（ｃ）の例では、２番目の間隔毎にスキップされ、すなわち、ｎ＝２である。
【００７１】
図１６（ｄ）は、ＤＬ停止／中断後にキープアライブオプションを伴う直接／タイムシフトされたＵＬ許可が実行される一実施形態の概略図である。ＳＰＳ  ＤＬメッセージは、ＵＬ許可をトリガし、ＵＬ送信は、ＤＬメッセージの受信直後に行われるか、またはいくらかの（ｓ）ＴＴＩの遅延のように、いくらかの遅延を伴って行われる。ＳＰＳ  ＤＬが終了または中断した場合、確立されたＳＰＳ  ＵＬ間隔は、生き続ける。終了または中断されたＤＬメッセージは、用語ＤＬではなく「−−」の付いたブロックによって示される。
【００７２】
第４の態様の簡単な説明から明らかになったように、条件付きＵＬは、例えば、ＤＬのデータが受信されたときにアクティブ化される遅延およびリソースを定義するＵＬ  ＳＰＳで行われ得る。
【００７３】
図１６に記載の例に関して、上述のようにダウンリンクメッセージを自動的にトリガするアップリンク要求メッセージを受信すると同じ方式がスライドすることに留意されたい。さらなる実施形態によれば、上述のＵＬ許可は、非ＳＰＳ  ＤＬ送信に応答して、例えば一般的なＤＬペイロードデータ送信に応答して実行されてもよく、ＳＰＳ  ＵＬモードは、上述の方式を使用してトリガされてもよい。
【００７４】
図１６ｅから明らかになるように、図１６の概念は、トリガ転送が定期的に行われる必要がないので、様々な長さのＳＰＳ時間の間のＳＰＳ間隔をもたらし得る。
【００７５】
ＳＰＳ構成またはＳＰＳ変更のためのトリガとしてＤＬメッセージを使用することに加えて、そのようなＳＰＳ情報は、送信機および受信機で利用可能であり、かつ／または送信機および受信機にシグナリングされる他の事象に基づいてＵＬおよび／またはＤＬにトリガされ得る。例えば、基地局が事象を観察してＳＰＳ変更を示すことが可能であり、そのような事象は、コアネットワークからのＤＬパケット到着の変化率（ＤＬ  ＳＰＳの変更をトリガする）またはチャネル条件の変化（ＵＬ  ＳＰＳ間隔周波数およびリソースの適応をトリガする）であり得る。また、ＵＥは、事象を観察することができ、ＳＰＳ変更を示し、例えば移動端末で実行しているビデオアプリケーションが解像度をフルスクリーンに変更する（ＤＬ  ＳＰＳの変更をトリガする）ビデオ会議を観察し、または例えば、比較的静的な観測環境を移動環境に変更する（ＵＬ  ＳＰＳの変更をトリガする）ビデオ記録における、要求されるＵＬデータレートの変更を示す。また、両方の参加エンティティ（基地局および移動端末）は、事象についての共通の知識を有することができ、追加のシグナリングが必要ではないことを意味する。その後、イベント自体がアクションをトリガし、すなわちＳＰＳをトリガするハンドオーバ状況（ＵＥがセル１からセル２に変更する）、またはＳＰＳをトリガするビデオ品質の変化、オーディオ送信における音声の一時停止／無音、もしくはＴＣＰパケット損失などの上位層プロトコルから生じる事象を仮定する。
【００７６】
言い換えれば、セミパーシステントスケジューリング（ＳＰＳ）は、第４の態様の一部として上述したように、移動端末および基地局にとって検出可能な事象に応答して非アクティブ化、アクティブ化、または再構成され得る。また上述したように、ＨＴＴＰサーバまたはＨＴＴＰクライアントなどの上位層エンティティのメッセージも、トリガとして使用することができる。
【００７７】
さらなる実施形態によれば、本発明は、経時的なＳＰＳ構成の自動変更を提供する。そのような変更は、アプリケーション、サービスまたはプロトコル、例えばＴＣＰのような上位層プロトコルによって引き起こされ得る。実施形態によれば、ＳＰＳは、ＴＣＰ接続のような上位層プロトコルの性能を最適化するために使用され得る。ＴＣＰ転送の場合、ＴＣＰスロースタートフェーズが閾値に到達する間に、（ｓ）ＴＴＩベースのＳＰＳ構成が使用されてもよい。図１７は、レガシー動作への後続の自動切り替えを伴う、時間ＴＳＳの間に本発明の（ｓ）ＴＴＩ低レイテンシ接続を利用することによってスロースタートフェーズを加速した典型的なＴＣＰフェーズを示す。初期状態、スロースタートフェーズでは、ＴＣＰウィンドウサイズは、最大接続容量に到達するために増加され、このフェーズでｓＴＴＩを使用することは、高い接続速度が速く到達され得るようにＴＳＳ時間を減少させる。閾値ｓｓｔｈｒｅｓｈに到達した後のフェーズでは、ｓＴＴＩ動作は、実質的な性能向上をもたらさない可能性があり、したがって、標準ＳＰＳ動作への自動切り替えが実行される可能性がある（ｓｓｔｈｒｅｓｈに到達すると）。ｓＴＴＩベースのＳＰＳ構成と標準またはレガシーＳＰＳ構成との間の切り替えはまた、外部プロトコルによって、またはエンドツーエンドＴＣＰ接続を示すシグナリングに応答してトリガすることができる。
【００７８】
さらなる実施形態によれば、ディープパケットインスペクションまたはスループット分析のような追加の分析を行うことができる。この追加の分析により、タイムアウトまたはＴＣＰスロースタート手順の再スタートを認識することが可能になる。そのようなタイムアウトまたはＴＣＰスロースタート手順の再スタートを検出すると、輻輳回避（ＣＡ）状態に早く到達するように転送をスピードアップするために、上述した低レイテンシ手法を再び提供することができる。これは、図１８にさらに詳細に示されており、実質的に図１７に対応するが、開始時における低レイテンシ動作とレガシー動作との間のＳＰＳ切り替えの自動トリガと、グラフ中央におけるレガシー動作と低レイテンシ動作との間の分析ベースのトリガされたＳＰＳ切り替えを表す。
【００７９】
低レイテンシ動作とレガシー動作との間で切り替えるための上述の手法は、ＳＰＳ−Ｃｏｎｆｉｇメッセージに追加のフィールドを追加することによって一実施形態に従って実装することができる。第１の実施形態によれば、有効時間（ＴＴＬ）フィールドがＳＰＳ−Ｃｏｎｆｉｇメッセージの対応するＵＬセクションのＳＰＳ−ＣｏｎｆｉｇＤＬセクションに追加され、それにより低レイテンシ動作が時間間隔ＴＳＳのような所与の時間間隔の後に無効にされ得る。時間の尺度は、スケジューリング間隔であり得、単純なカウンター変数で実現され得る。あるいは、異なる標準時間単位、例えば（ｓ）ＴＴＩ、サブフレーム、スロットまたは秒が使用されてもよい。使用事例に応じて、有効時間の値を直接シグナリングする代わりに、共通の値またはコードワードを有する列挙されたフィールドを使用することによってシグナリングを減らすことができる。図１９は、上述のような方法のＳＰＳ−Ｃｏｎｆｉｇメッセージの修正の例を示し、図１９（ａ）は、有効時間を間接的にシグナリングする修正されたＳＰＳ−ＣｏｎｆｉｇＤＬセクションを示し、図１９（ｂ）は、有効時間フィールドが有効時間を間接的にシグナリングするＳＰＳ−ＣｏｎｆｉｇＤＬセクションを示す。図１９（ａ）は、左側にＳＰＳ−Ｃｏｎｆｉｇメッセージの従来のＳＰＳ−ＣｏｎｆｉｇＤＬセクションを示し、右側に整数値によって直接有効時間の値を定義する追加の有効時間フィールド「ＴＴＬ」を含む修正されたＳＰＳ−ＣｏｎｆｉｇＤＬセクションを示す。図１９（ｂ）は、修正されたＳＰＳ−ＣｏｎｆｉｇＤＬセクションにおいて、有効時間フィールドが特定の値を直接シグナリングするのではなく、４つの値ｔｔ１１〜ｔｔ１４の列挙を含むことを除いて、同様の実施形態を示す。
【００８０】
さらなる実施形態によれば、ＳＰＳ構成の上述の自動変更を実装するために、ＳＰＳ構成メッセージは、先行するＳＰＳモードが終了した後にある特定のＳＰＳ構成をスタートすることを可能にするようにスタート時間（ＴＴＳ）フィールドを追加することによって修正され得る。スタート時間フィールドは、ある特定のＳＰＳ構成のスタートを遅延させ、それにより終了したＳＰＳ構成を前にシグナリングされたようにある特定のＳＰＳ構成によって続けることができる。時間の尺度は、スケジューリング間隔であり得、単純なカウンター変数で実現され得る。あるいは、異なる標準時間単位、例えば（ｓ）ＴＴＩ、サブフレーム、スロットまたは秒が使用されてもよい。使用事例に応じて、スタート時間の値を直接シグナリングする代わりに、共通の値またはコードワードを有する列挙されたフィールドを使用することによってシグナリングを減らすことができる。図２０は、ＳＰＳ−Ｃｏｎｆｉｇメッセージの修正の例を示し、図２０（ａ）は、スタート時間を間接的にシグナリングする修正されたＳＰＳ−ＣｏｎｆｉｇＤＬセクションを示し、図２０（ｂ）は、有効時間フィールドがスタート時間を間接的にシグナリングするＳＰＳ−ＣｏｎｆｉｇＤＬセクションを示す。図１９と比較すると、図２０では、ＴＴＬフィールドを定義する代わりに、上述のＴＴＳフィールドが定義されている点が異なる。
【００８１】
ＳＰＳ構成を自動的に変更するためのいくつかの特定の実施形態が上述されたが、本発明の手法は、そのようなシナリオに限定されない。本発明の教示によれば、ＳＰＳ構成間の自動切り替えは、図２１に概略的に表されるような方法で行うことができる。ユーザまたは受信機は、修正されたＳＰＳ構成メッセージを使用して、サブフレームまたはＴＴＩの観点から、各々が同じまたは異なる長さの特定のＳＰＳ間隔Ｘ、ＹまたはＺを定義する図２１にＳＰＳモード１〜ＳＰＳモード３として示される複数のＳＰＳ構成を含むように構成することができる。トリガ信号に応答して、ＳＰＳモード１からＳＰＳモード２への切り替え、およびＳＰＳモード２からＳＰＳモード３への切り替えが実行され得る。切り替えは、外部のシグナリングに応じてでもよいし、または上述のＴＴＳおよび／もしくはＴＴＬ情報をそれぞれのモードに含めることによってでもよい。実施形態によれば、異なるモードを含む単一の構成メッセージを受信機に提供することができる。他の実施形態では、受信機は、複数の別々の構成メッセージを受信することがある。
【００８２】
以下でさらに詳細に説明するさらなる実施形態によれば、図２１に示す自動シーケンス切り替えはまた、１つのＳＰＳ−Ｃｏｎｆｉｇメッセージ内に複数のＳＰＳモードを含むネストされたＳＰＳ方式を使用して達成することができ、構成の選択は、ＳＰＳ構成間の事前定義されたパターン、依存関係またはポリシーに基づく。実施形態によれば、トグルモードは、それぞれの構成されたＳＰＳがＳＰＳモードの別の１つをアクティブ化するための明示的なリンクを含むように実装され得る。他の実施形態によれば、ＳＰＳは、先行するＳＰＳが解放された後に先行するＳＰＳから引き継ぐように構成されてもよい。したがって、図２１に関して説明した実施形態によれば、一連のＳＰＳ構成メッセージのセットが事前構成され、関係するエンティティ間でシグナリングされ、一連のＳＰＳ構成メッセージ間の切り替えは、タイマ、例えば上述のＴＴＬもしくはＴＴＳに基づいて自動的に達成されてもよく、または特定のＳＰＳ構成をシグナリングし、ネストされたＳＰＳ構成セットから構成を選択することによって達成されてもよい。
【００８３】
図２２は、単一のＣ−ＲＮＴＩのみを使用していくつかの切り替えオプションを可能にするラジオリソース制御（ＲＲＣ）によって提供され得る、上で参照したネストされたＳＰＳ−Ｃｏｎｆｉｇメッセージの概略図である。従来のＳＰＳ−Ｃｏｎｆｉｇ定義では、関連するＣ−ＲＮＴＩは、上記の図３からわかり得るように、単一のＳＰＳ−ＣｏｎｆｉｇＤＬおよび／または単一のＳＰＳ−ＣｏｎｆｉｇＵＬと同様に含まれる。本発明の手法の実施形態によれば、いくつかの異なるＲＲＣ接続を開くことなく一度に複数のＳＰＳ方式を可能にしてアクティブ化するネストされたＳＰＳ構成が提供される。ＳＰＳモード間の切り替えは、メッセージトリガ型でも自動型でもよい。図２２は、ＳＰＳ間隔Ｘを有する第１のＳＰＳモード１と、異なるまたは同じＳＰＳ間隔を有する追加のネストされたＳＰＳモード１１および１２とを含むＳＰＳ−ＣｏｎｆｉｇＤＬセクションを示す、一実施形態によるネストされたＳＰＳ構成を示す。図２２はまた、ダウンリンクの場合と同様に、アップリンクの異なるＳＰＳモードを定義するネストされたＳＰＳ−ＣｏｎｆｉｇメッセージのＳＰＳ−ＣｏｎｆｉｇＵＬセクションを示す。
【００８４】
図２３は、複数のＳＰＳ−ＣｏｎｆｉｇＤＬセクションを指定することを可能にするセットアップフィールドにさらなるＳＰＳ−ＣｏｎｆｉｇＤＬインスタンスを組み込むことによって、ＳＰＳ−ＣｏｎｆｉｇメッセージにネストされたＳＰＳ−ＣｏｎｆｉｇＤＬセクションを実装するための一例を示す。対応するＵＬセクションは、同様に実装することができる。
【００８５】
実施形態によれば、ネストされたＳＰＳ−ＣｏｎｆｉｇメッセージでＳＰＳモードをアクティブ化するためのいくつかの方法がある。例えば、最初のネストされたＳＰＳ−ＣｏｎｆｉｇＤＬ／ＳＰＳ−ＣｏｎｆｉｇＵＬをアクティブ化するＤＣＩアクティブ化メッセージが送られてもよく、さらなるＤＣＩアクティブ化メッセージは、ネストされたＳＰＳ構成リストを介してトグルする。別の実施形態によれば、単一のＤＣＩ  ＳＰＳアクティブ化メッセージは、例えば追加の一定のビットレートビデオサービスを有するＶｏＩＰサービスの場合には、正しいＳＰＳ  Ｃ−ＲＮＴＩを使用してＰＤＣＣＨで送られてもよく、このメッセージは、ネストされたリストのすべてのＳＰＳ構成をアクティブ化し、それによってシグナリングオーバーヘッドを節約する。また別の実施形態によれば、ネストされたリストの特定の構成を可能にする修正されたＤＣＩが提供されてもよい。さらなる実施形態によれば、ネストされたリスト内の構成が有効時間フィールドに従って終了するとリストの次の構成が自動的にアクティブ化されるように、上述の有効時間情報を使用することができる。また別の実施形態によれば、ネストされたＳＰＳ構成のＳＰＳ動作に関連する完全なシグナリング情報は、ＲＲＣによって提供されてもよく、それによって例えば図１２〜図１５を参照して上述したのと同様の方法で、ＰＤＣＣＨで任意のＤＣＩを使用する必要を回避する。すなわち、構成メッセージは、とりわけＳＰＳ間隔長さに関して決定された２つ以上のＳＰＳ間隔またはＳＰＳ構成モードを示すことができる。いくつかのＳＰＳ間隔またはＳＰＳ構成モードは、同じＲＮＴＩに関連し得る。そのようなＳＰＳチャネルを介して通信する装置は、いくつかのＳＰＳ間隔またはＳＰＳ構成モードの間で切り替えることができ、またはＳＰＳ間隔またはＳＰＳ構成モードの１つまたは複数を選択的にアクティブ化および非アクティブ化することができる。それらは、構成メッセージおよび／または制御メッセージによって互いに切り替えまたは選択的なアクティブ化および非アクティブ化をシグナリングすることができる。すなわち、ＳＰＳ間隔またはＳＰＳ構成モードの１つまたは複数は、同時にアクティブになることを可能にされ得る。いくつかのＳＰＳ間隔またはＳＰＳ構成モードは、例えばスクランブリングなどによってＬＴＥ  ＳＰＳ  Ｃ−ＲＮＴＩのために共通のＲＮＴＩを使用して、およびいくつかのＳＰＳ間隔またはＳＰＳ構成モードを区別するＳＰＳ構成インデックスを使用して、構成メッセージおよび／または制御メッセージによって参照されてもよい、
さらなる実施形態によれば、上位層インターフェースを対話、設定および異なるＳＰＳ設定／パラメータのアクティブ化のために提供することができる。例えば、ＳＰＳ−Ｃｏｎｆｉｇメッセージは、基地局に提供されてもよく、また基地局でアクティブ化されてもよい。実際のベアラを使用してアプリケーション／プロトコル／サービスの要件における可能性のある短期間の変更を満たすために、このアクティブ化手順と相互作用することが望ましい。以下の手法の１つまたは複数、事象駆動型手法またはメッセージ駆動型手法を使用することができる。事象駆動型手法の場合、基地局は、特定のＳＰＳ設定が即座にアクティブ化されるかまたは特定の時間後にアクティブ化される事象を検出することができる。そのような事象は、ディープパケットインスペクション、メッセージを介したサーバ（基地局の制御下にないデバイス）との対話、またはメッセージを介したクライアント（基地局の制御下にあるデバイス）との対話に基づくことができる。異なるＳＰＳ設定／パラメータのアクティブ化を設定するためのメッセージ駆動型対話は、クライアントが基地局と対話することを含み得る。ビットレート要件などが提供されるベアラセットアップメッセージのように、クライアントは、既存のベアラに関するビットレート、レイテンシ、スケジューリング情報、アクティブ化時間またはアクティブ化事象情報を含むメッセージを基地局に転送することができ、それにより現在の時間または後の時点、または特定の事象が発生したときに望ましいＳＰＳ設定を示す。事象駆動型およびメッセージ駆動型を除くと、ｅＮＢおよびＵＥは、ＳＰＳ構成および／またはリソース割り当てが変更する特定の事象（例えば、ＧＰＳ位置、ＣＱＩ値、ＭＣＳレベル）に関するＳＰＳ  ｃｏｎｆｉｇまたは他の手段を通じて事前に合意することができる。事象が発生するとすぐに、異なるＳＰＳ  ｃｏｎｆｉｇ設定間の切り替えがｅＮＢおよびＵＥで起こり得る。ここで、第４の態様に関連して上述したように、それはサーバ（例えばＨＴＴＰサーバ）とｅＮｏｄｅＢとの間で交換される上位層メッセージであり得ることを言及すべきである。このメッセージは、ＴＣＰスロースタートまたはＴＣＰ輻輳回避を意味することができ、それによりｅＮｏｄｅＢがＳＰＳ切り替えを開始することによってそれに反応することができる。メッセージは、反応するためにＵＥに転送されるか、または説明されたように、ＳＰＳ構成を変更するように下位層メッセージを開始するために使用され得る。
【００８６】
本発明の実施形態は、基地局のような送信機と、移動端末のような受信機とを含む図１に示すような無線通信システムで実装されてもよい。図２４は、送信機ＴＸから受信機ＲＸに情報を送信するための無線通信システム２００の概略図である。送信機ＴＸは、少なくとも１つのアンテナＡＮＴＴＸを含み、受信機ＲＸは、少なくとも１つのアンテナＡＮＴＲＸを含む。他の実施形態では、送信機ＴＸおよび／または受信機ＲＸは、ＭＩＭＯ、ＳＩＭＯまたはＭＩＳＯを実装するために２つ以上のアンテナを含んでもよい。矢印２０４によって示されるように、信号は、ラジオリンクのような無線通信リンクを介して送信機ＴＸから受信機ＲＸに送信される。送信は、ＯＦＤＭＡ通信手法に従ってもよく、上で参照された送信時間間隔は、送信機ＴＸから受信機ＲＸへのラジオ送信の期間を示す。送信機ＴＸは、受信機ＲＸに送信されるデータを受信するための入力２０６を含む。入力データ２０６は、受信機ＲＸに送信されるデータ信号を生成するために受信された信号２０６を処理するための信号プロセッサ２１０を含むＯＦＤＭＡ変調器２０８で受信される。送信機ＴＸとＲＸとの間のシグナリングは、本発明の上述の実施形態に従い、例えば、送信機は、ＴＴＩベースで定義されたＳＰＳ間隔を含む、および／または追加の制御データを含むＳＰＳ  Ｃｏｎｆｉｇメッセージを生成するように動作するＯＦＤＭＡ変調器を含むことができる。受信機ＲＸは、アンテナを介して送信機ＴＸからの信号を受信し、出力信号２１６を生成するために受信された信号を処理するための信号プロセッサ２１４を含むＯＦＤＭＡ復調器２１２に信号を適用する。
【００８７】
図２５は、上述の実施形態による受信機に情報を送信するための無線通信システムの送信機３００のブロック図である。送信機３００は、チャネルエンコーダ３０４によって符号化され、変調器３０６によって変調され、マッパ３０８によって複数のキャリアにマッピングされるデータ３０２を受信する。信号３１０は、３１２において、制御チャネルユニット３１６および制御マッパ３１８によって提供される制御信号３１４と、パイロットシンボル生成器３２２からのパイロットシンボル３２０と、ＰＳＳ／ＳＳＳ信号生成器３２６からのＰＳＳ／ＳＳＳ信号３２４と結合される。合成信号３２８は、ＩＦＦＴ＋ＣＰブロック３３０に提供され、ＤＡＣ３３２によってアナログドメインに変換される。アナログ信号３３６は、ラジオ送信のために処理され、アンテナ３３８によって最終的に送信される。実施形態によれば、本発明の態様、例えば、ＴＴＩベースで定義されたＳＰＳ間隔を含む、および／または追加の制御データを含むＳＰＳ  ｃｏｎｆｉｇメッセージを生成することは、制御データをマッピングするためのマッパ３１８を使用して実装することができる。
【００８８】
説明された概念のいくつかの態様は装置の文脈で説明されているが、これらの態様はまた、対応する方法の説明を表し、ブロックまたはデバイスが方法ステップまたは方法ステップの特徴に対応することは明らかである。同様に、方法ステップの文脈で説明された態様はまた、対応する装置の対応するブロックまたは項目または特徴の説明を表す。
【００８９】
ある特定の実装要件に応じて、本発明の実施形態は、ハードウェアまたはソフトウェアで実装することができる。実装は、電子的に読み取り可能な制御信号が記憶され、それぞれの方法が実行されるようにプログラマブルコンピュータシステムと協働する（または協働することができる）デジタル記憶媒体、例えばフロッピーディスク、ＤＶＤ、Ｂｌｕｅ−Ｒａｙ、ＣＤ、ＲＯＭ、ＰＲＯＭ、ＥＰＲＯＭ、ＥＥＰＲＯＭまたはＦＬＡＳＨメモリを使用して実行されてもよい。したがって、デジタル記憶媒体は、コンピュータ可読であり得る。
【００９０】
本発明によるいくつかの実施形態は、本明細書に記載の方法の１つが実行されるように、プログラマブルコンピュータシステムと協働することができる電子的に読み取り可能な制御信号を有するデータキャリアを含む。
【００９１】
一般に、本発明の実施形態は、プログラムコードを有するコンピュータプログラム製品として実装することができ、プログラムコードは、コンピュータプログラム製品がコンピュータで実行されるときに方法の１つを実行するように動作可能である。プログラムコードは、例えば機械可読キャリアに記憶することができる。
【００９２】
他の実施形態は、機械可読キャリアに記憶された、本明細書に記載の方法の１つを実行するためのコンピュータプログラムを含む。言い換えれば、本発明の方法の一実施形態は、したがって、コンピュータプログラムがコンピュータで実行されるときに、本明細書に記載の方法の１つを実行するためのプログラムコードを有するコンピュータプログラムである。
【００９３】
したがって、本発明の方法のさらなる実施形態は、本明細書に記載の方法の１つを実行するためのコンピュータプログラムを記録したデータキャリア（またはデジタル記憶媒体、またはコンピュータ可読媒体）である。したがって、本発明の方法のさらなる実施形態は、本明細書に記載の方法の１つを実行するためのコンピュータプログラムを表すデータストリームまたは一連の信号である。データストリームまたは一連の信号は、例えばデータ通信接続を介して、例えばインターネットを介して転送されるように構成されてもよい。さらなる実施形態は、本明細書に記載の方法の１つを実行するように構成されたまたは適合された処理手段、例えばコンピュータ、またはプログラマブルロジックデバイスを含む。さらなる実施形態は、本明細書に記載の方法の１つを実行するためのコンピュータプログラムをインストールしたコンピュータを含む。
【００９４】
いくつかの実施形態では、プログラマブルロジックデバイス（例えばフィールドプログラマブルゲートアレイ）を使用して、本明細書に記載の方法の機能の一部または全部を実行することができる。いくつかの実施形態では、フィールドプログラマブルゲートアレイは、本明細書に記載の方法の１つを実行するためにマイクロプロセッサと協働することができる。一般に、方法は、好ましくは、任意のハードウェア装置によって実行される。
【００９５】
上述の実施形態は、本発明の原理を説明するための例示にすぎない。本明細書に記載の構成および詳細の修正および変形は、当業者にとって明らかであるものと理解される。したがって、差し迫った特許請求の範囲だけによって制限され、本明細書の実施形態の記載および説明によって示される具体的な詳細によって制限されないことが意図される。
参考文
【００９６】
［１］  Ｃ．  Ｊｏｈｎｓｏｎ：  Ｌｏｎｇ  Ｔｅｒｍ  Ｅｖｏｌｕｔｉｏｎ  ｉｎ  Ｂｕｌｌｅｔｓ，  ２ｎｄ  ｅｄｉｔｉｏｎ，  ２０１２，  ｐ．  ４６
［２］  ３ＧＰＰ  ＴＳ  ３６．３２１  Ｖ１３．１．０  （２０１６−０３），  ｐ．  ４２ｆ
［３］  ３ＧＰＰ  ＴＳ  ３６．２１３  Ｖ１３．１．１  （２０１６−０３），  Ｓｅｃｔｉｏｎ  ９．
［４］  ｈｔｔｐ：／／ｈｏｗｌｔｅｓｔｕｆｆｗｏｒｋｓ．ｂｌｏｇｓｐｏｔ．ｄｅ／２０１３／１０／ｓｅｍｉ−ｐｅｒｓｉｓｔｅｎｔ−ｓｃｈｅｄｕｌｉｎｇ．ｈｔｍ
［５］  ３ＧＰＰ  ＴＳ  ３６．３３１  Ｖ１３．１．０  （２０１６−０３），  ｐ．  ３５
［６］  ３ＧＰＰ  ＴＲ３６．８８１  Ｖ０．６．０  （２０１６−０２），  “Ｓｔｕｄｙ  ｏｎ  ｌａｔｅｎｃｙ  ｒｅｄｕｃｔｉｏｎ  ｔｅｃｈｎｉｑｕｅｓ  ｆｏｒ  ＬＴＥ
［７］  Ｒ１−１６５５７１，  Ｅｒｉｃｓｓｏｎ，  Ｉｎｔｅｌ，  Ｎｏｋｉａ，  Ａｌｃａｔｅｌ−Ｌｕｃｅｎｔ  Ｓｈａｎｇｈａｉ  Ｂｅｌｌ，    “Ｗａｙ  ｆｏｒｗａｒｄ  ｏｎ  ｓｃｈｅｄｕｌｉｎｇ  ｍｅｃｈａｎｉｓｍ  ｆｏｒ  ｓＴＴＩ
［８］  ３ＧＰＰ  ＴＳ  ３６．２１１  Ｖ１３．１．０  （２０１６−０３），  Ｓｅｃｔｉｏｎ  ５．３．
［９］  ３ＧＰＰ  ＴＳ  ３６．２１３  Ｖ１３．１．１  （２０１６−０３），  Ｓｅｃｔｉｏｎ  ８．
［１０］  ３ＧＰＰ  ＴＳ  ３６．２１１  Ｖ１３．１．０  （２０１６−０３），  Ｓｅｃｔｉｏｎ  ６．４．
［１１］  Ｒ１−１６２５８８，  Ｈｕａｗｅｉ，  ＨｉＳｉｌｉｃｏｎ，  “ＤＣＩ  ｄｅｓｉｇｎ  ｆｏｒ  ｓｈｏｒｔ  ＴＴＩ
［１２］  Ｒ１−１６４０６０，  Ｈｕａｗｅｉ，  ＨｉＳＩｌｉｃｏｎ，  “ＤＣＩ  ｄｅｓｉｇｎ  ｆｏｒ  ｓｈｏｒｔ  ＴＴＩ”
【図１】
2019531632.tif 000003
【図２】
2019531632.tif 000004
【図３ａ】
2019531632.tif 000005
【図３ｂ】
2019531632.tif 000006
【図４】
2019531632.tif 000007
【図５】
2019531632.tif 000008
【図６】
2019531632.tif 000009
【図７】
2019531632.tif 000010
【図８】
2019531632.tif 000011
【図９】
2019531632.tif 000012
【図１０】
2019531632.tif 000013
【図１１】
2019531632.tif 000014
【図１２ａ】
2019531632.tif 000015
【図１２ｂ】
2019531632.tif 000016
【図１３】
2019531632.tif 000017
【図１４】
2019531632.tif 000018
【図１５】
2019531632.tif 000019
【図１６ａ】
2019531632.tif 000020
【図１６ｂ】
2019531632.tif 000021
【図１６ｃ】
2019531632.tif 000022
【図１６ｄ】
2019531632.tif 000023
【図１６ｅ】
2019531632.tif 000024
【図１７】
2019531632.tif 000025
【図１８】
2019531632.tif 000026
【図１９】
2019531632.tif 000027
【図２０】
2019531632.tif 000028
【図２１】
2019531632.tif 000029
【図２２】
2019531632.tif 000030
【図２３】
2019531632.tif 000031
【図２４】
2019531632.tif 000032
【図２５】
2019531632.tif 000033
【図２６ａ】
2019531632.tif 000034
【図２６ｂ】
2019531632.tif 000035
【図２６ｃ】
2019531632.tif 000036
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
無線通信システム用の装置であって、
前記装置は、セミパーシステントスケジューリング（ＳＰＳ）を実行するように構成され、
ＳＰＳ間隔のサイズは、１つまたは複数の送信時間間隔（ＴＴＩ）に基づき、
前記装置は、構成メッセージを受信して処理するように構成され、前記構成メッセージは、前記ＳＰＳ間隔の前記サイズを示す１つまたは複数のデータフィールドを含み、
前記構成メッセージは、ＳＰＳ間隔の開始時にリスニングウィンドウを示し、前記リスニングウィンドウは、前記ＳＰＳ間隔の前記サイズよりも短い所定のサイズを有し、
前記装置は、前記リスニングウィンドウの間に前記装置に向けられた制御メッセージをリスニングするように構成される、装置。
【請求項２】
前記構成メッセージが、連続するスロットまたはシンボルの数を示す整数値によって前記リスニングウィンドウのサイズを示す、請求項１に記載の装置。
【請求項３】
データ信号を使用してデータを受信または送信するように構成され、前記データ信号が、複数のフレームを含み、各フレームが、複数のサブフレームを含み、各サブフレームが、時間ドメインの多数のシンボルと、周波数ドメインの多数のサブキャリアとを有し、
前記送信時間間隔が、前記時間ドメインの所定の数のシンボルによって定義される、請求項１または２に記載の装置。
【請求項４】
前記送信時間間隔が、１サブフレーム未満である、請求項３に記載の装置。
【請求項５】
前記構成メッセージが、前記ＳＰＳ間隔の前記サイズを定義する送信時間間隔の数を示す値を使用して前記ＳＰＳ間隔の前記サイズを直接シグナリングする、請求項１に記載の装置。
【請求項６】
前記構成メッセージが、１つまたは複数のコードワードを使用して前記ＳＰＳ間隔の前記サイズを間接的にシグナリングし、各コードワードが、前記ＳＰＳ間隔のある特定のサイズを表し、
前記装置が、複数のエントリを記憶するように構成された記憶装置を含み、各エントリが、前記ＳＰＳ間隔の前記サイズを定義する多数の送信時間間隔を保持し、
前記装置が、前記コードワードを使用して前記記憶装置にアクセスし、前記記憶装置から前記ＳＰＳ間隔の前記サイズを取得するように構成される、請求項１に記載の装置。
【請求項７】
前記コードワードの長さが、前記ＳＰＳ間隔の符号化されたサイズの発生の頻度に依存する、請求項６に記載の装置。
【請求項８】
前記装置が、
前記セミパーシステントスケジューリングの前記通信無線通信システムのリソースの割り当ての非アクティブ化を明示的に示す、
前記セミパーシステントスケジューリングの構成の変更を示す、かつ／または
現在のＳＰＳ間隔の前記セミパーシステントスケジューリングの前記無線通信システムのリソースのスペクトル時間位置を示す、
前記リスニングウィンドウの間の制御メッセージに応答して、前記リスニングウィンドウの終了前に前記制御メッセージのリスニングを停止するように構成され、
それにより前記現在のＳＰＳ間隔の前記セミパーシステントスケジューリングの前記リソースを受信した後にさらなる制御メッセージのリスニングを停止する、請求項１乃至７のいずれか１項に記載の装置。
【請求項９】
前記リスニングウィンドウが、ＳＰＳ間隔の前記開始前に１つまたは複数の送信時間間隔をスタートし、前記ＳＰＳ間隔の前記開始後に少なくとも１つの送信時間間隔を終了する、請求項１乃至８のいずれか１項に記載の装置。
【請求項１０】
前記装置が、前記リスニングウィンドウ内の最後の送信時間間隔内にリソースブロックからの現在の間隔の前記セミパーシステントスケジューリングの前記リソースにアクセスするように構成され、以下の条件：
前記装置が、前記制御メッセージのリスニングをまだ停止していない、
前記装置が、前記リスニングウィンドウの前記最後の送信時間間隔に先行する送信時間間隔のリソースブロックから前記現在の間隔の前記セミパーシステントスケジューリングの前記リソースにまだアクセスしていない、
前記最後の送信時間間隔の制御チャネル内には、前記最後の送信時間間隔内の前記リソースブロックの位置を示す制御メッセージがない、
の１つまたは複数が満たされているかどうかに応じて、デフォルト位置とＴＴＩ内位置で一致する、請求項８に記載の装置。
【請求項１１】
前記装置が、物理ダウンリンク制御チャネル内で前記制御メッセージをリスニングするように構成される、請求項１乃至１０のいずれか１項に記載の装置。
【請求項１２】
前記構成メッセージが、前記装置の動作を制御するための制御データを含み、
前記装置が、前記構成メッセージから前記制御データを取り出し、前記制御データに従って動作を引き起こすように構成される、請求項１乃至１１のいずれか１項に記載の装置。
【請求項１３】
前記制御データが、
前記セミパーシステントスケジューリングの持続時間をアクティブ化する、解放するまたは示す制御データ、
ＳＰＳ間隔当たりの前記セミパーシステントスケジューリングに割り当てられるリソースを示す制御データ、
前記セミパーシステントスケジューリングの送信パラメータを示す制御データ、
周波数ホッピング情報を示す制御データ、および
直接または遅延アップリンクメッセージをトリガする１つまたは複数のある特定のダウンリンクペイロードデータメッセージを示す制御データ
の１つまたは複数を含む、請求項１２に記載の装置。
【請求項１４】
前記周波数ホッピング情報が、ＯＦＤＭシンボルベースまたはスロット未満ベースを含む異なるベースのうちの時間ホッピングベースを示す、請求項１３に記載の装置。
【請求項１５】
前記構成メッセージが、前記セミパーシステントスケジューリングを介して、または非セミパーシステントな方法で割り当てられた前記無線通信システムのリソースのペイロードセクション内に含まれる、請求項１乃至１４のいずれか１項に記載の装置。
【請求項１６】
前記構成メッセージが、第１の構成メッセージであり、前記ＳＰＳ間隔の前記サイズが、
第２の構成メッセージによって変更されるまで、および／または
前記第１の構成メッセージによって定義された前記セミパーシステントスケジューリングの有効時間の終了に到達するまで、および／または
高次プロトコルからの制御メッセージによって変更されるまで
有効である、請求項１乃至１５のいずれか１項に記載の装置。
【請求項１７】
前記構成メッセージが、いくつかのＳＰＳ間隔またはＳＰＳ構成モードを示し、前記装置が、前記いくつかのＳＰＳ間隔またはＳＰＳ構成モードを切り替えるか、またはさらなる構成メッセージもしくは前記構成メッセージに続く制御メッセージに応答して前記構成メッセージに続いて、前記ＳＰＳ間隔またはＳＰＳ構成モードの１つまたは複数を選択的にアクティブ化および非アクティブ化するように構成される、請求項１乃至１６のいずれか１項に記載の装置。
【請求項１８】
無線通信システム用の装置であって、
前記装置は、セミパーシステントスケジューリング（ＳＰＳ）を実行するように構成され、
ＳＰＳ間隔のサイズは、１つまたは複数の送信時間間隔（ＴＴＩ）に基づき、
前記装置は、構成メッセージを受信して処理するように構成され、前記構成メッセージは、前記ＳＰＳ間隔の前記サイズを示す１つまたは複数のデータフィールドを含み、
前記構成メッセージは、いくつかのＳＰＳ間隔またはＳＰＳ構成モードを示し、前記装置は、前記いくつかのＳＰＳ間隔またはＳＰＳ構成モードを切り替えるか、またはさらなる構成メッセージもしくは前記構成メッセージに続く制御メッセージに応答して前記構成メッセージに続いて、前記ＳＰＳ間隔またはＳＰＳ構成モードの１つまたは複数を選択的にアクティブ化および非アクティブ化するように構成される、装置。
【請求項１９】
前記制御メッセージが、ＤＣＩであり、前記構成メッセージが、いくつかのＳＰＳ構成を示し、前記いくつかのＳＰＳ構成が、共通のＳＰＳ  ＲＮＴＩを使用して前記ＤＣＩによって参照され、前記ＤＣＩが、前記いくつかのＳＰＳ構成を区別するためのＳＰＳ構成インデックスを含み、前記ＤＣＩが、前記いくつかのＳＰＳ構成の１つまたは複数の選択的なアクティブ化および非アクティブ化を引き起こす、請求項１８に記載の装置。
【請求項２０】
前記装置、および前記装置が前記セミパーシステントスケジューリング（ＳＰＳ）のリソースを介してペイロードデータを受信または送信する前記無線通信システムのさらなる装置に対して検出可能な事象に応答して、前記セミパーシステントスケジューリングを非アクティブ化、アクティブ化、または再構成するように構成される、請求項１または１９のいずれか１項に記載の装置。
【請求項２１】
前記装置が、前記セミパーシステントスケジューリングによって割り当てられたリソース内でデータを送信する移動端末であり、前記装置が、ＮＡＣＫメッセージに応答して、送信障害のヒントおよび前記セミパーシステントスケジューリングの再構成に関する情報について前記ＮＡＣＫメッセージに続く制御メッセージを調べるように構成される、請求項１乃至２０のいずれか１項に記載の装置。
【請求項２２】
前記装置が、前記セミパーシステントスケジューリングが前記セミパーシステントスケジューリングを介して、または非セミパーシステントな方法で割り当てられた前記無線通信システムのリソースのペイロードセクション内に含まれる構成メッセージによって再構成されるように構成される、請求項２１に記載の装置。
【請求項２３】
前記装置が、前記セミパーシステントスケジューリングが任意のＮＡＣＫメッセージに応答して見出される制御メッセージに加えて、前記セミパーシステントスケジューリングを介して、または非セミパーシステントな方法で排他的に割り当てられた前記無線通信システムのリソースのペイロードセクション内に含まれる構成メッセージによって再構成可能であるように構成される、請求項２１に記載の装置。
【請求項２４】
前記装置が、構成メッセージを生成して送信するように構成され、前記構成メッセージが、前記ＳＰＳ間隔の前記サイズを示す１つまたは複数のデータフィールドを含み、
前記装置が、１つまたは複数のコードワードを使用して前記ＳＰＳ間隔の前記サイズを前記構成メッセージで間接的にシグナリングするように構成され、前記コードワードを
前記ＳＰＳ間隔の必要サイズ、
前記セミパーシステントスケジューリングが専用であり、ＳＰＳ間隔の前記必要サイズが前記１つまたは複数のコードワードによって示される移動端末が第１のタイプまたは第２のタイプであるかどうか
の１つまたは複数に応じて選択し、
前記１つまたは複数のコードワードを、前記移動端末が前記第２のタイプである場合、前記送信時間間隔の現在設定されている長さに応じて追加的に選択し、
前記必要サイズが、前記移動端末が前記第２のタイプの場合には送信時間間隔の単位で前記ＳＰＳ間隔を測定し、前記必要サイズが、前記移動端末が前記第１のタイプの場合にはサブフレームの単位で前記ＳＰＳ間隔を測定する、請求項１乃至２３のいずれか１項に記載の装置。
【請求項２５】
前記コードワードが、可変長コードワードである、請求項２４に記載の装置。
【請求項２６】
無線通信システム用の装置であって、
前記装置は、セミパーシステントスケジューリングを実行するように構成され、
前記装置は、前記セミパーシステントスケジューリングが構成メッセージを介して制御されるように構成され、
前記構成メッセージは、
前記セミパーシステントスケジューリングの持続時間をアクティブ化する、解放するまたは示す制御データ、
前記セミパーシステントスケジューリングに割り当てられるリソースを示す制御データ、
前記セミパーシステントスケジューリングの送信パラメータを示す制御データ、
周波数ホッピング情報を示す制御データ、
直接または遅延アップリンクメッセージをトリガする１つまたは複数のある特定のダウンリンクペイロードデータメッセージを示す制御データ、
その中の１つまたは複数をさらなる構成メッセージまたは前記構成メッセージに続く制御メッセージによってアクティブ化または非アクティブ化することができるいくつかのＳＰＳ間隔またはＳＰＳ構成モードを示す制御データ、
前記ＳＰＳ間隔のサイズよりも短い所定のサイズを有し、リスニングウィンドウの間に制御メッセージをリスニングすることを可能にする、ＳＰＳ間隔の開始時の前記リスニングウィンドウを示す制御データ
の１つまたは複数を含む、装置。
【請求項２７】
前記構成メッセージが、ＲＲＣによって提供され、
前記セミパーシステントスケジューリングのアクティブ化および持続時間、ならびに
前記アクティブ化の遅延、ならびに
前記セミパーシステントスケジューリングに割り当てられる前記リソース、ならびに
前記セミパーシステントスケジューリングのＭＣＳ、ならびに
周波数ホッピングが、有効になり、ホッピングパターン、
を示すＳＰＳ構成メッセージである、請求項２６に記載の装置。
【請求項２８】
前記構成メッセージが、ＲＲＣによって提供されたＳＰＳ構成メッセージである、請求項２６または２７に記載の装置。
【請求項２９】
前記構成メッセージが、前記セミパーシステントスケジューリングを介して、または非セミパーシステントな方法で移動端末に割り当てられた前記無線通信システムのリソースのペイロードセクション内に含まれ、前記装置が、前記移動端末、または前記装置が前記セミパーシステントスケジューリングのリソースを介してペイロードデータを受信または送信する前記無線通信システムのさらなる装置である、請求項２６乃至２８のいずれか１項に記載の装置。
【請求項３０】
前記構成メッセージが、第１の構成メッセージであり、前記第１の構成メッセージで定義された前記ＳＰＳの構成が、
第２の構成メッセージによって変更されるまで、および／または
前記第１の構成メッセージによって定義された前記セミパーシステントスケジューリングの有効時間の終了に到達するまで、および／または
高次プロトコルからの制御メッセージによって変更されるまで
有効である、請求項２６乃至２９のいずれか１項に記載の装置。
【請求項３１】
前記構成メッセージが、いくつかのＳＰＳ間隔またはＳＰＳ構成モードを示し、前記装置が、前記いくつかのＳＰＳ間隔またはＳＰＳ構成モードを切り替えるか、またはさらなる構成メッセージもしくは前記構成メッセージに続く制御メッセージに応答して前記構成メッセージに続いて、前記ＳＰＳ間隔またはＳＰＳ構成モードの１つまたは複数を選択的にアクティブ化および非アクティブ化するように構成される、請求項２６乃至２９のいずれか１項に記載の装置。
【請求項３２】
前記装置、および前記装置が前記セミパーシステントスケジューリング（ＳＰＳ）のリソースを介してペイロードデータを受信または送信する前記無線通信システムのさらなる装置に対して検出可能な事象に応答して、前記セミパーシステントスケジューリングを非アクティブ化するように構成される、請求項２６乃至３１のいずれか１項に記載の装置。
【請求項３３】
前記さらなる構成メッセージまたは制御メッセージが、同じＲＮＴＩによってスクランブルされ、ＳＰＳ構成インデックスによって区別される、請求項１６、１７または２４に記載の装置。
【請求項３４】
前記装置が、前記セミパーシステントスケジューリングを実行するように、基地局などの送信機から構成メッセージを受信して処理するように構成された、移動端末などの受信機であり、または前記装置が、前記装置のセミパーシステントスケジューリングと一致する方法でセミパーシステントスケジューリングを実行するように前記受信機を構成するための構成メッセージを移動端末などの受信機に送信するように構成された、基地局などの送信機である、請求項１乃至３３のいずれか１項に記載の装置。
【請求項３５】
前記装置が、割り当てられたリソースにペイロードデータをマッピングする前に前記ペイロードデータを保護するＦＥＣデータと共に前記ペイロードデータをスクランブルおよび／またはインターリーブすることによって送信時間間隔の単位で前記割り当てられたリソースを介して前記ペイロードデータを送信し、および／または割り当てられたリソースからペイロードデータをデマッピングする際に前記ペイロードデータを保護するＦＥＣデータ共に前記ペイロードデータをデスクランブルおよび／またはデインターリーブすることによって送信時間間隔の単位で前記割り当てられたリソースを介して前記ペイロードデータを受信するように構成される、請求項１乃至３４のいずれか１項に記載の装置。
【請求項３６】
無線通信システム用の装置であって、
前記装置は、ダウンリンクまたはアップリンク方向であるＳＰＳ方向の第１のペイロードデータ送信のリソースのセミパーシステントスケジューリング（ＳＰＳ）を実行するように構成され、
前記装置は、前記第１のペイロードデータ送信の前記リソースがスケジューリングされるＳＰＳ時間が前記ＳＰＳ方向に対向する反対方向の第２のペイロードデータ送信によってトリガされるように構成される、装置。
【請求項３７】
前記装置が、前記アップリンク、ＵＬ方向でセミパーシステントスケジューリング、ＳＰＳを実行するように構成され、前記第１のペイロードデータ送信が、ハイブリッド自動再送要求、ＨＡＲＱ再送信を含み、前記装置が、前記ＨＡＲＱ再送信のための前記リソースがスケジューリングされるＳＰＳ時間がＳＰＳダウンリンク、ＤＬメッセージによってトリガされるように構成される、請求項３６に記載の装置。
【請求項３８】
ダウンリンク構成メッセージの構成メッセージによって定義された方法で前記第２のペイロードデータ送信に対する前記ＳＰＳ時間をスケジューリングするように構成される、請求項３６に記載の装置。
【請求項３９】
前記構成メッセージが、
ＳＰＳ時間をトリガする第２のペイロードデータ送信とＳＰＳ時間をトリガしない第２のペイロードデータ送信との区別、および
前記第２のペイロードデータ送信とそれによってトリガされる前記ＳＰＳ時間との間の遅延
の観点から前記第２のペイロードデータ送信に対する前記ＳＰＳ時間の前記スケジューリングを定義する、請求項３８に記載の装置。
【請求項４０】
前記構成メッセージが、各ＳＰＳ時間のリスニングウィンドウを示し、
前記装置が、前記リスニングウィンドウの間に前記装置に向けられた制御メッセージをリスニングするように構成される、請求項３８または３９に記載の装置。
【請求項４１】
前記装置が、
前記セミパーシステントスケジューリングを介して前記第１のペイロードデータ送信の前記リソースの割り当ての非アクティブ化を明示的に示す、
前記セミパーシステントスケジューリングの構成の変更を示す、かつ／または
現在のＳＰＳ時間の前記セミパーシステントスケジューリングの前記無線通信システムのリソースのスペクトル時間位置を示す、
前記リスニングウィンドウの間の制御メッセージに応答して、前記リスニングウィンドウの終了前に前記制御メッセージのリスニングを停止するように構成され、
それにより前記現在のＳＰＳ時間の前記セミパーシステントスケジューリングの前記リソースを受信した後にさらなる制御メッセージのリスニングを停止する、請求項４０に記載の装置。
【請求項４２】
前記リスニングウィンドウが、ＳＰＳ時間の前記開始前に１つまたは複数の送信時間間隔をスタートし、前記ＳＰＳ時間の前記開始後に少なくとも１つの送信時間間隔を終了する、請求項４０または４１に記載の装置。
【請求項４３】
前記装置が、前記リスニングウィンドウ内の最後の送信時間間隔内にリソースブロックからの現在のＳＰＳ時間の前記セミパーシステントスケジューリングの前記リソースにアクセスするように構成され、以下の条件：
前記装置が、前記制御メッセージのリスニングをまだ停止していない、
前記装置が、前記リスニングウィンドウの前記最後の送信時間間隔に先行する送信時間間隔のリソースブロックから前記現在のＳＰＳ時間の前記セミパーシステントスケジューリングの前記リソースにまだアクセスしていない、
前記最後の送信時間間隔の制御チャネル内には、前記最後の送信時間間隔内の前記リソースブロックの位置を示す制御メッセージがない、
の１つまたは複数が満たされているかどうかに応じて、デフォルト位置とＴＴＩ内位置で一致する、請求項４２に記載の装置。
【請求項４４】
前記装置が、物理ダウンリンク制御チャネル内で前記制御メッセージをリスニングするように構成される、請求項４０乃至４３のいずれか１項に記載の装置。
【請求項４５】
前記構成メッセージが、ダウンリンク送信のリソースのペイロードセクション内に含まれる、請求項３４乃至４９のいずれか１項に記載の装置。
【請求項４６】
前記装置が、前記セミパーシステントスケジューリングを構成する、基地局などの送信機から構成メッセージを受信して処理するように構成された、移動端末などの受信機であり、または前記装置が、前記装置のセミパーシステントスケジューリングと一致する方法でセミパーシステントスケジューリングを構成するように前記受信機を構成するための構成メッセージを移動端末などの受信機に送信するように構成された、基地局などの送信機である、請求項３７乃至４５のいずれか１項に記載の装置。
【請求項４７】
無線通信システム用の装置であって、
前記装置は、セミパーシステントスケジューリング（ＳＰＳ）を実行するように構成され、
前記装置は、前記ＳＰＳの構成モードが変更されるように、またはＳＰＳが、
前記無線通信システムを介して送信されたペイロードデータを介して別のエンティティと通信する第１のエンティティ、または
前記装置の物理環境条件に依存する事象を示すメッセージ
によってトリガされて確立される、装置。
【請求項４８】
前記装置が、ＳＰＳリソースに使用される
ＳＰＳ間隔、
ＳＰＳビットレート、
符号化および変調
に関して前記ＳＰＳの構成モードを変更する、または前記ＳＰＳを確立するように構成される、請求項４７に記載の装置。
【請求項４９】
前記装置が、
ＴＣＰスロースタートについて前記装置に通知する前記第１のエンティティからのメッセージ、
ＴＣＰ輻輳回避について前記装置に通知する前記第１のエンティティからのメッセージ、
前記第１および第２のエンティティの間でビットレート適応的にストリーミングされたビットレートバージョンの変更について前記装置に通知する前記第１のエンティティからのメッセージ、
ＳＰＳ方向に沿った送信条件の改善または悪化に関するヒント、
前記ＳＰＳを使用して前記無線通信システムを介して送信されるビデオまたは画像データの解像度、品質または符号化の複雑さの変化、
目標パケットエラー率、
音声の一時停止／無音への移行
の１つまたは複数に応答して前記ＳＰＳの前記構成を変更するか、または前記ＳＰＳを確立するように構成される、請求項４７または４８に記載の装置。
【請求項５０】
前記装置が、例えば、基地局などの前記送信機に前記ＳＰＳのインストールを要求するＳＰＳ要求によって前記ＳＰＳの前記構成の前記変更または前記ＳＰＳの確立を開始し、任意選択で、対応するＳＰＳ構成メッセージを発行することによって前記ＳＰＳ構成の変更または確立を確認するように構成された、移動端末またはＵＥなどの受信機であり、または前記装置が、移動端末などの受信機に、ＳＰＳの構成の変更または確立のための対応するＳＰＳ構成メッセージを発行するように構成された、基地局などの送信機である、請求項４７乃至４９のいずれか１項に記載の装置。
【請求項５１】
請求項１乃至５０のいずれか１項に記載の装置を含む、無線通信システム。
【請求項５２】
無線通信システムでデータを受信または送信するようにセミパーシステントスケジューリングを実行することを含む方法であって、
ＳＰＡ間隔のサイズは、１つまたは複数の送信時間間隔に基づき、
前記方法は、構成メッセージを受信して処理することを含み、前記構成メッセージは、前記ＳＰＳ間隔の前記サイズを示す１つまたは複数のデータフィールドを含み、
前記構成メッセージは、ＳＰＳ間隔の開始時にリスニングウィンドウを示し、前記リスニングウィンドウは、前記ＳＰＳ間隔の前記サイズよりも短い所定のサイズを有し、
前記方法は、前記リスニングウィンドウの間に前記無線通信システムの装置に向けられた制御メッセージをリスニングすることを含む、方法。
【請求項５３】
無線通信システムでデータを受信または送信するようにセミパーシステントスケジューリングを実行することと、
構成メッセージを介して前記セミパーシステントスケジューリングを制御することとを含み、
前記構成メッセージは、
前記セミパーシステントスケジューリングの持続時間をアクティブ化する、解放するまたは示す制御データ、
前記セミパーシステントスケジューリングに割り当てられるリソースを示す制御データ、
前記セミパーシステントスケジューリングの送信パラメータを示す制御データ、
周波数ホッピング情報を示す制御データ、
直接または遅延アップリンクメッセージをトリガする１つまたは複数のある特定のダウンリンクペイロードデータメッセージを示す制御データ、
その中の１つまたは複数をさらなる構成メッセージまたは前記構成メッセージに続く制御メッセージによってアクティブ化または非アクティブ化することができるいくつかのＳＰＳ間隔またはＳＰＳ構成モードを示す制御データ、
前記ＳＰＳ間隔のサイズよりも短い所定のサイズを有し、リスニングウィンドウの間に制御メッセージをリスニングすることを可能にする、ＳＰＳ間隔の開始時の前記リスニングウィンドウを示す制御データ
の１つまたは複数を含む、方法。
【請求項５４】
無線通信システムでデータを受信または送信するようにセミパーシステントスケジューリングを実行することを含む方法であって、
ＳＰＡ間隔のサイズは、１つまたは複数の送信時間間隔に基づき、
前記方法は、構成メッセージを受信して処理することを含み、前記構成メッセージは、前記ＳＰＳ間隔の前記サイズを示す１つまたは複数のデータフィールドを含み、
前記構成メッセージは、いくつかのＳＰＳ間隔またはＳＰＳ構成モードを示し、前記装置は、前記いくつかのＳＰＳ間隔またはＳＰＳ構成モードを切り替えるか、またはさらなる構成メッセージもしくは前記構成メッセージに続く制御メッセージに応答して前記構成メッセージに続いて、前記ＳＰＳ間隔またはＳＰＳ構成モードの１つまたは複数を選択的にアクティブ化および非アクティブ化するように構成される、方法。
【請求項５５】
前記方法が、前記無線通信システムの送信機または基地局によって実行される、請求項４７乃至４９のいずれか１項に記載の方法。
【請求項５６】
ダウンリンクまたはアップリンク方向であるＳＰＳ方向で無線通信システムの第１のペイロードデータ送信のリソースのセミパーシステントスケジューリング（ＳＰＳ）を実行することと、
前記第１のペイロードデータ送信の前記リソースがスケジューリングされるＳＰＳ時間を、前記ＳＰＳ方向に対向する反対方向の第２のペイロードデータ送信によってトリガすることとを含む、方法。
【請求項５７】
無線通信システムでセミパーシステントスケジューリング（ＳＰＳ）を実行することと、
前記ＳＰＳの構成が変更されるのを変更すること、または前記ＳＰＳを、
前記無線通信システムを介して送信されたペイロードデータを介して別のエンティティと通信する第１のエンティティ、または
物理環境条件に依存する事象を示すメッセージ
によってトリガされることによって確立することとを含む、方法。
【請求項５８】
コンピュータで実施されたときに請求項５２乃至５７のいずれか１項に記載の方法を行う命令を記憶するコンピュータ可読媒体を含む、非一時的コンピュータプログラム製品。
【国際調査報告】
2019531632.tif 000037
2019531632.tif 000038
2019531632.tif 000039
2019531632.tif 000040